(57)【要約】  受信機におけるベースバンド周波数誤差を推定し、訂正する方法および装置。一実施形態では、等化器がサンプルデータストリームの等化を行い、等化に基づいてフィルタタップ値を生成する。フィルタタップ値の少なくとも１つに基づいて、推定周波数誤差信号が生成される。推定周波数誤差信号に基づいて、回転位相ベクトルが生成される。回転位相ベクトル信号がサンプルデータストリームと掛け合わされて、サンプルデータストリームの周波数が訂正される。別の実施形態では、チャネル推定器がチャネル推定を行い、フィンガ重みの少なくとも１つに基づいてレイク受信機フィンガ重みを生成する。フィンガ重みの少なくとも１つに基づいて、推定周波数誤差信号が生成される。
2008519554.tif 000002
【特許請求の範囲】
【請求項１】
無線通信受信機におけるベースバンド周波数訂正（ＢＦＣ）システムであって、
サンプルデータストリームの等化を行い、前記等化に基づいてフィルタタップ値を生成する等化器と、
前記フィルタタップ値の少なくとも１つに基づいて推定周波数誤差信号を生成する周波数誤差推定器と、
前記推定周波数誤差信号に基づいて回転位相ベクトル信号を生成する発振器と、
前記回転位相ベクトル信号を前記サンプルデータストリームと掛け合わせて、前記サンプルデータストリームの周波数を訂正する乗算器と
を備えることを特徴とするシステム。
【請求項２】
前記周波数誤差推定器は、
前記等化器によって生成される前記フィルタタップ値から適切なタップ値を抽出し、前記抽出タップ値を出力するタップ抽出ユニットと、
前記タップ抽出ユニットに結合された、前記抽出タップ値を遅延させる遅延ユニットと、
前記タップ抽出ユニットと前記遅延ユニットに結合された、前記抽出タップ値の共役を生成する共役生成器と、
前記遅延ユニットと前記共役生成器に結合された、前記抽出タップ値の前記共役を前記遅延抽出タップ値と掛け合わせて、前記共役抽出タップ値と前記遅延抽出タップ値の位相差を表す位相差信号を生成する第１の乗算器と
を備えることを特徴とする請求項１に記載のシステム。
【請求項３】
前記周波数誤差推定器は、
前記第１の乗算器の出力に結合された、前記共役抽出タップ値と前記遅延抽出タップ値の前記位相差を測定する逆正接ユニットと、
前記測定された位相差を平均して、前記周波数誤差推定器から前記推定周波数誤差信号として前記平均された位相差を出力させるための第１のフィルタと
をさらに備えることを特徴とする請求項２に記載のシステム。
【請求項４】
前記周波数誤差推定器は、前記乗算器と前記第１のフィルタに結合された、閾値信号の値に基づいて前記第１のフィルタに、前記第１のフィルタを休止させる保留信号を選択的に送る比較回路をさらに備えることを特徴とする請求項３に記載のシステム。
【請求項５】
前記比較回路は、
前記第１の乗算器と前記逆正接ユニットに結合された、前記位相差信号の振幅を計算する振幅検出器と、
前記位相差信号の前記振幅を前記閾値信号の前記値と比較し、前記位相差信号の前記振幅が前記閾値信号の前記値を下回る場合には、前記保留信号を生成する比較器と
を備えることを特徴とする請求項４に記載のシステム。
【請求項６】
前記比較回路は、
前記位相差信号の前記振幅を平均する第２のフィルタと、
前記位相差信号の前記平均振幅と倍率を掛け合わせて前記閾値信号を生成する第２の乗算器と
をさらに備えることを特徴とする請求項５に記載のシステム。
【請求項７】
前記比較回路は、
前記位相差信号の瞬時電力を計算する電力検出器と、
前記位相差信号の前記瞬時電力を閾値信号の値と比較する比較器であり、前記位相差信号の前記瞬時電力が前記閾値信号の前記値を下回る場合には、前記保留信号を生成する前記比較器と
を備えることを特徴とする請求項４に記載のシステム。
【請求項８】
前記比較回路は、
前記位相差信号の前記瞬時電力を平均する第２のフィルタと、
前記位相差信号の前記平均瞬時電力と倍率を掛け合わせて前記閾値信号を生成する第２の乗算器と
をさらに備えることを特徴とする請求項７に記載のシステム。
【請求項９】
前記等化器によって生成される前記フィルタタップ値から複数のタップ値を抽出し、前記抽出タップ値を平均して前記抽出タップ値の平均値を生成するタップ抽出ユニットと、
前記タップ抽出ユニットに結合された、前記平均タップ値を遅延させる遅延ユニットと、
前記タップ抽出ユニットと前記遅延ユニットに結合された、前記平均タップ値の共役を生成する共役生成器と、
前記遅延ユニットと前記共役生成器に結合された、前記平均タップ値の前記共役を前記遅延平均タップ値と掛け合わせて、前記共役平均タップ値と前記遅延平均タップ値の位相差を表す位相差信号を生成する第１の乗算器と
を備えることを特徴とする請求項１に記載のシステム。
【請求項１０】
前記周波数誤差推定器は、
前記第１の乗算器の出力に結合された、前記共役平均タップ値と前記遅延平均タップ値の前記位相差を測定する逆正接ユニットと、
前記測定された位相差を平均して、前記周波数誤差推定器から前記推定周波数誤差信号として前記平均された位相差を出力させるための第１のフィルタと
をさらに備えることを特徴とする請求項９に記載のシステム。
【請求項１１】
前記周波数誤差推定器は、前記乗算器と前記第１のフィルタに結合された、閾値信号の値に基づいて前記第１のフィルタに、前記第１のフィルタを休止させる保留信号を選択的に送る比較回路をさらに備えることを特徴とする請求項１０に記載のシステム。
【請求項１２】
前記比較回路は、
前記第１の乗算器と前記逆正接ユニットに結合された、前記位相差信号の振幅を計算する振幅検出器と、
前記位相差信号の前記振幅を前記閾値信号の前記値と比較し、前記位相差信号の前記振幅が前記閾値信号の前記値を下回る場合には、前記保留信号を生成する比較器と
を備えることを特徴とする請求項１１に記載のシステム。
【請求項１３】
前記比較回路は、
前記位相差信号の前記振幅を平均する第２のフィルタと、
前記位相差信号の前記平均振幅と倍率を掛け合わせて前記閾値信号を生成する第２の乗算器と
をさらに備えることを特徴とする請求項１２に記載のシステム。
【請求項１４】
前記比較回路は、
前記位相差信号の瞬時電力を計算する電力検出器と、
前記位相差信号の前記瞬時電力を前記閾値信号の前記値と比較する比較器であり、前記位相差信号の前記瞬時電力が前記閾値信号の前記値を下回る場合には、前記保留信号を生成する前記比較器と
を備えることを特徴とする請求項１１に記載のシステム。
【請求項１５】
前記比較回路は、
前記位相差信号の前記瞬時電力を平均する第２のフィルタと、
前記位相差信号の前記平均瞬時電力と倍率を掛け合わせて前記閾値信号を生成する第２の乗算器と
をさらに備えることを特徴とする請求項１４に記載のシステム。
【請求項１６】
前記周波数誤差推定器と前記発振器の間に結合された、前記推定周波数誤差信号の利得を調整するコントローラをさらに備えることを特徴とする請求項１に記載のシステム。
【請求項１７】
前記発振器は、前記コントローラによって制御される数値制御発振器（ＮＣＯ）であることを特徴とする請求項１６に記載のシステム。
【請求項１８】
前記周波数誤差推定器と前記発振器の間に結合されたコントローラであり、前記周波数誤差推定器から受け取られた前記推定周波数誤差信号を比較−積分−微分（ＰＩＤ）アルゴリズムを用いて処理し、前記処理された推定周波数誤差信号を前記発振器に入力する前記コントローラをさらに備えることを特徴とする請求項１に記載のシステム。
【請求項１９】
前記発振器は、前記コントローラによって制御される数値制御発振器（ＮＣＯ）であることを特徴とする請求項１８に記載のシステム。
【請求項２０】
前記等化器は、正規化最小平均二乗（ＮＬＭＳ）アルゴリズムを利用することを特徴とする請求項１に記載のシステム。
【請求項２１】
無線通信受信機におけるベースバンド周波数訂正（ＢＦＣ）システムであって、
サンプルデータストリームのチャネル推定を行い、前記チャネル推定に基づいてレイク受信機フィンガ重みを生成するチャネル推定器と、
前記フィンガ重みの少なくとも１つに基づいて推定周波数誤差信号を生成する周波数誤差推定器と、
前記推定周波数誤差信号に基づいて回転位相ベクトル信号を生成する発振器と、
前記回転位相ベクトル信号を前記サンプルデータストリームと掛け合わせて、前記サンプルデータストリームの周波数を訂正する乗算器と
を備えることを特徴とするシステム。
【請求項２２】
前記周波数誤差推定器は、
前記チャネル推定器によって生成される前記レイク受信機フィンガ重みから適切なレイク受信機フィンガ重みを抽出するタップ抽出ユニットと、
前記タップ抽出ユニットに結合された、前記抽出フィンガ重みを遅延させる遅延ユニットと、
前記タップ抽出ユニットと前記遅延ユニットに結合された、前記抽出フィンガ重みの共役を生成する共役生成器と、
前記遅延ユニットと前記共役生成器に結合された、前記抽出フィンガ重みの前記共役を前記遅延抽出フィンガ重みと掛け合わせて、前記共役抽出フィンガ重みと前記遅延抽出フィンガ重みの位相差を表す位相差信号を生成する第１の乗算器と
を備えることを特徴とする請求項２１に記載のシステム。
【請求項２３】
前記周波数誤差推定器は、
前記第１の乗算器の出力に結合された、前記共役抽出フィンガ重みと前記遅延抽出フィンガ重みの前記位相差を測定する逆正接ユニットと、
前記測定された位相差を平均して、前記周波数誤差推定器から前記推定周波数誤差信号として前記平均された位相差を出力させるための第１のフィルタと
をさらに備えることを特徴とする請求項２２に記載のシステム。
【請求項２４】
前記周波数誤差推定器は、前記乗算器と前記第１のフィルタに結合された、閾値信号の値に基づいて前記第１のフィルタに、前記第１のフィルタを休止させる保留信号を選択的に送る比較回路をさらに備えることを特徴とする請求項２３に記載のシステム。
【請求項２５】
前記比較回路は、
前記第１の乗算器と前記逆正接ユニットに結合された、前記位相差信号の振幅を計算する振幅検出器と、
前記位相差信号の前記振幅を前記閾値信号の前記値と比較し、前記位相差信号の前記振幅が前記閾値信号の前記値を下回る場合には、前記保留信号を生成する比較器と
を備えることを特徴とする請求項２４に記載のシステム。
【請求項２６】
前記比較回路は、
前記位相差信号の前記振幅を平均する第２のフィルタと、
前記位相差信号の前記平均振幅と倍率を掛け合わせて前記閾値信号を生成する第２の乗算器と
をさらに備えることを特徴とする請求項２５に記載のシステム。
【請求項２７】
前記比較回路は、
前記位相差信号の瞬時電力を計算する電力検出器と、
前記位相差信号の前記瞬時電力を前記閾値信号の前記値と比較する比較器であり、前記位相差信号の前記瞬時電力が前記閾値信号の前記値を下回る場合には、前記保留信号を生成する前記比較器と
を備えることを特徴とする請求項２４に記載のシステム。
【請求項２８】
前記比較回路は、
前記位相差信号の前記瞬時電力を平均する第２のフィルタと、
前記位相差信号の前記平均瞬時電力と倍率を掛け合わせて前記閾値信号を生成する第２の乗算器と
をさらに備えることを特徴とする請求項２７に記載のシステム。
【請求項２９】
前記周波数誤差推定器は、
前記チャネル推定器によって生成される前記レイク受信機フィンガ重みから複数のレイク受信機フィンガ重みを抽出し、前記抽出フィンガ重みを平均して前記抽出フィンガ重みの平均フィンガ重みを生成するタップ抽出ユニットと、
前記タップ抽出ユニットに結合された、前記平均フィンガ重みを遅延させる遅延ユニットと、
前記タップ抽出ユニットと前記遅延ユニットに結合された、前記平均フィンガ重みの共役を生成する共役生成器と、
前記遅延ユニットと前記共役生成器に結合された、前記平均フィンガ重みの前記共役を前記遅延平均フィンガ重みと掛け合わせて、前記共役平均フィンガ重みと前記遅延平均フィンガ重みの位相差を表す位相差信号を生成する第１の乗算器と
を備えることを特徴とする請求項２１に記載のシステム。
【請求項３０】
前記周波数誤差推定器は、
前記第１の乗算器の出力に結合された、前記共役平均フィンガ重みと前記遅延平均フィンガ重みの位相差を測定する逆正接ユニットと、
前記測定された位相差を平均して、前記周波数誤差推定器から前記推定周波数誤差信号として前記平均された位相差を出力させるための第１のフィルタと
をさらに備えることを特徴とする請求項２９に記載のシステム。
【請求項３１】
前記周波数誤差推定器は、前記乗算器と前記第１のフィルタに結合された、閾値信号の値に基づいて前記第１のフィルタに、前記第１のフィルタを休止させる保留信号を選択的に送る比較回路をさらに備えることを特徴とする請求項３０に記載のシステム。
【請求項３２】
前記比較回路は、
前記第１の乗算器と前記逆正接ユニットに結合された、前記位相差信号の振幅を計算する振幅検出器と、
前記位相差信号の前記振幅を前記閾値信号の前記値と比較し、前記位相差信号の前記振幅が前記閾値信号の前記値を下回る場合には、前記保留信号を生成する比較器と
を備えることを特徴とする請求項３１に記載のシステム。
【請求項３３】
前記比較回路は、
前記位相差信号の前記振幅を平均する第２のフィルタと、
前記位相差信号の前記平均振幅と倍率を掛け合わせて前記閾値信号を生成する第２の乗算器と
さらに備えることを特徴とする請求項３２に記載のシステム。
【請求項３４】
前記比較回路は、
前記位相差信号の瞬時電力を計算する電力検出器と、
前記位相差信号の前記瞬時電力を前記閾値信号の前記値と比較する比較器であり、前記位相差信号の前記瞬時電力が前記閾値信号の前記値を下回る場合には、前記保留信号を生成する前記比較器と
を備えることを特徴とする請求項３１に記載のシステム。
【請求項３５】
前記比較回路は、
前記位相差信号の前記瞬時電力を平均する第２のフィルタと、
前記位相差信号の前記瞬時電力と倍率を掛け合わせて前記閾値信号を生成する第２の乗算器と
をさらに備えることを特徴とする請求項３４に記載のシステム。
【請求項３６】
前記周波数誤差推定器と前記発振器の間に結合された、前記推定周波数誤差信号の利得を調整するコントローラをさらに備えることを特徴とする請求項３１に記載のシステム。
【請求項３７】
前記発振器は、前記コントローラによって制御される数値制御発振器（ＮＣＯ）であることを特徴とする請求項３６に記載のシステム。
【請求項３８】
前記周波数誤差推定器と前記発振器の間に結合されたコントローラであり、前記周波数誤差推定器から受け取られた前記推定周波数誤差信号を比較−積分−微分（ＰＩＤ）アルゴリズムを用いて処理し、前記処理された推定周波数誤差信号を前記発振器に入力する前記コントローラをさらに備えることを特徴とする請求項３１に記載のシステム。
【請求項３９】
前記発振器は、前記コントローラによって制御される数値制御発振器（ＮＣＯ）であることを特徴とする請求項３８に記載のシステム。
【請求項４０】
前記等化器は、正規化最小平均二乗（ＮＬＭＳ）アルゴリズムを利用することを特徴とする請求項３１に記載のシステム。
【請求項４１】
無線通信受信機において、ベースバンド周波数訂正（ＢＦＣ）を行う方法であって、
（ａ）サンプルデータストリームの等化を行うこと、
（ｂ）前記等化に基づいてフィルタタップ値を生成すること、
（ｃ）前記フィルタタップ値の少なくとも１つに基づいて推定周波数誤差信号を生成すること、
（ｄ）前記推定周波数誤差信号に基づいて回転位相ベクトル信号を生成すること、および
（ｅ）前記回転位相ベクトル信号を前記サンプルデータストリームと掛け合わせて、前記サンプルデータストリームの周波数を訂正すること
を含むことを特徴とする方法。
【請求項４２】
ステップ（ｃ）は、
（ｃ１）前記生成されたフィルタタップ値から適切なタップ値を抽出すること、
（ｃ２）前記抽出タップ値を遅延させること、
（ｃ３）前記抽出タップ値の共役を生成すること、および
（ｃ４）前記抽出タップ値の前記共役を前記遅延抽出タップ値と掛け合わせて、前記共役抽出タップ値と前記遅延抽出タップ値の位相差を表す位相差信号を生成すること
をさらに含むことを特徴とする請求項４１に記載の方法。
【請求項４３】
ステップ（ｃ）は、
（ｃ５）前記共役抽出タップ値と前記遅延抽出タップ値の前記位相差を測定すること、および
（ｃ６）前記測定された位相差を平均することによって前記推定周波数誤差信号を生成すること
をさらに含むことを特徴とする請求項４２に記載の方法。
【請求項４４】
ステップ（ｃ）は、
（ｃ７）閾値信号の値に基づいて、前記推定周波数誤差信号が更新されるのを選択的に妨げること
をさらに含むことを特徴とする請求項４３に記載の方法。
【請求項４５】
ステップ（ｃ）は、
（ｃ８）前記位相差信号の振幅を計算すること、
（ｃ９）前記位相差信号の前記振幅を前記閾値信号の前記値と比較すること、および
（ｃ１０）前記位相差信号の前記振幅が前記閾値信号の前記値を下回る場合には、前記推定周波数誤差信号が更新されるのを妨げること
をさらに含むことを特徴とする請求項４４に記載の方法。
【請求項４６】
ステップ（ｃ）は、
（ｃ１１）前記位相差信号の前記振幅を平均すること、および
（ｃ１２）前記位相差信号の前記平均振幅と倍率を掛け合わせることによって、前記閾値信号を生成すること
をさらに含むことを特徴とする請求項４５に記載の方法。
【請求項４７】
ステップ（ｃ）は、
（ｃ８）前記位相差信号の瞬時電力を計算すること、
（ｃ９）前記位相差信号の前記瞬時電力を前記閾値信号の前記値と比較すること、および
（ｃ１０）前記位相差信号の前記瞬時電力が前記閾値信号の前記値を下回る場合には、前記推定周波数誤差信号が更新されるのを妨げること
をさらに含むことを特徴とする請求項４４に記載の方法。
【請求項４８】
ステップ（ｃ）は、
（ｃ１０）前記位相差信号の前記瞬時電力を平均すること、および
（ｃ１１）前記位相差信号の前記平均瞬時電力と倍率を掛け合わせることによって前記閾値信号を生成すること
をさらに含むことを特徴とする請求項４７に記載の方法。
【請求項４９】
ステップ（ｃ）は、
（ｃ１）前記生成されたフィルタタップ値から複数のタップ値を抽出すること、
（ｃ２）前記抽出タップ値を平均して前記抽出タップ値の平均値を生成すること、
（ｃ３）前記平均タップ値を遅延させること、
（ｃ４）前記平均タップ値の共役を生成すること、および
（ｃ５）前記平均タップ値の前記共役を前記遅延平均タップ値と掛け合わせて、前記共役平均タップ値と前記遅延平均タップ値の位相差を表す位相差信号を生成すること
をさらに含むことを特徴とする請求項４１に記載の方法。
【請求項５０】
ステップ（ｃ）は、
（ｃ６）前記共役平均タップ値と前記遅延平均タップ値の前記位相差を測定すること、および
（ｃ７）前記測定された位相差を平均することによって前記推定周波数誤差信号を生成すること
をさらに含むことを特徴とする請求項４９に記載の方法。
【請求項５１】
ステップ（ｃ）は、
（ｃ８）閾値信号の値に基づいて、前記推定周波数誤差信号が更新されるのを選択的に妨げること
をさらに含むことを特徴とする請求項５０に記載の方法。
【請求項５２】
ステップ（ｃ）は、
（ｃ９）前記位相差信号の振幅を計算すること、
（ｃ１０）前記位相差信号の前記振幅を前記閾値信号の前記値と比較すること、および
（ｃ１１）前記位相差信号の前記振幅が前記閾値信号の前記値を下回る場合には、前記推定周波数誤差信号が更新されるのを妨げること
をさらに含むことを特徴とする請求項５１に記載の方法。
【請求項５３】
ステップ（ｃ）は、
（ｃ１２）前記位相差信号の前記振幅を平均すること、および
（ｃ１３）前記位相差信号の前記平均振幅と倍率を掛け合わせることによって前記閾値信号を生成すること
をさらに含むことを特徴とする請求項５２に記載の方法。
【請求項５４】
ステップ（ｃ）は、
（ｃ９）前記位相差信号の瞬時電力を計算すること、
（ｃ１０）前記位相差信号の前記瞬時電力を前記閾値信号の前記値と比較すること、および
（ｃ１１）前記位相差信号の前記瞬時電力が前記閾値信号の前記値を下回る場合には、前記推定周波数誤差信号が更新されるのを妨げること
をさらに含むことを特徴とする請求項５１に記載の方法。
【請求項５５】
ステップ（ｃ）は、
（ｃ１２）前記位相差信号の前記瞬時電力を平均すること、および
（ｃ１３）前記位相差信号の前記平均瞬時電力と倍率を掛け合わせることによって前記閾値信号を生成すること
をさらに含むことを特徴とする請求項５４に記載の方法。
【請求項５６】
（ｆ）前記推定周波数誤差信号の利得を調整すること
をさらに含むことを特徴とする請求項４１に記載の方法。
【請求項５７】
（ｆ）前記推定周波数誤差信号を比較−積分−微分（ＰＩＤ）アルゴリズムを用いて処理すること
をさらに含むことを特徴とする請求項４１に記載の方法。
【請求項５８】
正規化最小平均二乗（ＮＬＭＳ）アルゴリズムを利用してステップ（ａ）が行われることを特徴とする請求項４１に記載の方法。
【請求項５９】
無線通信受信機において、ベースバンド周波数訂正（ＢＦＣ）を行う方法であって、
（ａ）サンプルデータストリームのチャネル推定を行うこと、
（ｂ）前記チャネル推定に基づいてレイク受信機フィンガ重みを生成すること、
（ｃ）前記フィンガ重みの少なくとも１つに基づいて推定周波数誤差信号を生成すること、
（ｄ）前記推定周波数誤差信号に基づいて回転位相ベクトル信号を生成すること、および
（ｅ）前記回転位相ベクトル信号を前記サンプルデータストリームと掛け合わせて、前記サンプルデータストリームの周波数を訂正すること
を含むことを特徴とする方法。
【請求項６０】
ステップ（ｃ）は、
（ｃ１）前記生成されたレイク受信機フィンガ重みから適切なフィンガ重みを抽出すること、
（ｃ２）前記抽出フィンガ重みを遅延させること、
（ｃ３）前記抽出フィンガ重みの共役を生成すること、および
（ｃ４）前記抽出フィンガ重みの前記共役を前記遅延抽出フィンガ重みと掛け合わせて、前記共役抽出フィンガ重みと前記遅延抽出フィンガ重みの位相差を表す位相差信号を生成すること
をさらに含むことを特徴とする請求項５９に記載の方法。
【請求項６１】
ステップ（ｃ）は、
（ｃ５）前記共役抽出フィンガ重みと前記遅延抽出フィンガ重みの前記位相差を測定すること、および
（ｃ６）前記測定された位相差を平均することによって前記推定周波数誤差信号を生成すること
をさらに含むことを特徴とする請求項６０に記載の方法。
【請求項６２】
ステップ（ｃ）は、
（ｃ７）閾値信号の値に基づいて、前記推定周波数誤差信号が更新されるのを選択的に妨げること
をさらに含むことを特徴とする請求項６１に記載の方法。
【請求項６３】
ステップ（ｃ）は、
（ｃ８）前記位相差信号の振幅を計算すること、
（ｃ９）前記位相差信号の前記振幅を前記閾値信号の前記値と比較すること、および
（ｃ１０）前記位相差信号の前記振幅が前記閾値信号の前記値を下回る場合には、前記推定周波数誤差信号が更新されるのを妨げること
をさらに含むことを特徴とする請求項６２に記載の方法。
【請求項６４】
ステップ（ｃ）は、
（ｃ１１）前記位相差信号の前記振幅を平均すること、および
（ｃ１２）前記位相差信号の前記平均振幅と倍率を掛け合わせることによって、前記閾値信号を生成すること
をさらに含むことを特徴とする請求項６３に記載の方法。
【請求項６５】
ステップ（ｃ）は、
（ｃ８）前記位相差信号の瞬時電力を計算すること、
（ｃ９）前記位相差信号の前記瞬時電力を前記閾値信号の前記値と比較すること、および
（ｃ１０）前記位相差信号の前記瞬時電力が前記閾値信号の前記値を下回る場合には、前記推定周波数誤差信号が更新されるのを妨げること
をさらに含むことを特徴とする請求項６２に記載の方法。
【請求項６６】
ステップ（ｃ）は、
（ｃ１１）前記位相差信号の前記瞬時電力を平均すること、および
（ｃ１２）前記位相差信号の前記平均瞬時電力と倍率を掛け合わせることによって前記閾値信号を生成すること
をさらに含むことを特徴とする請求項６５に記載の方法。
【請求項６７】
ステップ（ｃ）は、
（ｃ１）前記生成されたレイク受信機フィンガ重みから複数のフィンガ重みを抽出すること、
（ｃ２）前記抽出フィンガ重みを平均して前記抽出フィンガ重みの平均値を生成すること、
（ｃ３）前記平均フィンガ重みを遅延させること、
（ｃ４）前記平均フィンガ重みの共役を生成すること、および
（ｃ５）前記平均フィンガ重みの前記共役を前記遅延平均フィンガ重みと掛け合わせて、前記共役平均フィンガ重みと前記遅延平均フィンガ重みの位相差を表す位相差信号を生成すること
をさらに含むことを特徴とする請求項５９に記載の方法。
【請求項６８】
ステップ（ｃ）は、
（ｃ６）前記共役平均フィンガ重みと前記遅延平均フィンガ重みの前記位相差を測定すること、および
（ｃ７）前記測定された位相差を平均することによって前記推定周波数誤差信号を生成すること
をさらに含むことを特徴とする請求項６７に記載の方法。
【請求項６９】
ステップ（ｃ）は、
（ｃ８）閾値信号の値に基づいて、前記推定周波数誤差信号が更新されるのを選択的に妨げること
をさらに含むことを特徴とする請求項６８に記載の方法。
【請求項７０】
ステップ（ｃ）は、
（ｃ９）前記位相差信号の振幅を計算すること、
（ｃ１０）前記位相差信号の前記振幅を前記閾値信号の前記値と比較すること、および
（ｃ１１）前記位相差信号の前記振幅が前記閾値信号の前記値を下回る場合には、前記推定周波数誤差信号が更新されるのを妨げること
をさらに含むことを特徴とする請求項６９に記載の方法。
【請求項７１】
ステップ（ｃ）は、
（ｃ１２）前記位相差信号の前記振幅を平均すること、および
（ｃ１３）前記位相差信号の前記平均振幅と倍率を掛け合わせることによって前記閾値信号を生成すること
をさらに含むことを特徴とする請求項７０に記載の方法。
【請求項７２】
ステップ（ｃ）は、
（ｃ９）前記位相差信号の瞬時電力を計算すること、
（ｃ１０）前記位相差信号の前記瞬時電力を前記閾値信号の前記値と比較すること、および
（ｃ１１）前記位相差信号の前記瞬時電力が前記閾値信号の前記値を下回る場合には、前記推定周波数誤差信号が更新されるのを妨げること
をさらに含むことを特徴とする請求項６９に記載の方法。
【請求項７３】
ステップ（ｃ）は、
（ｃ１２）前記位相差信号の前記瞬時電力を平均すること、および
（ｃ１３）前記位相差信号の前記平均瞬時電力と倍率を掛け合わせることによって前記閾値信号を生成すること
をさらに含むことを特徴とする請求項７２に記載の方法。
【請求項７４】
（ｆ）前記推定周波数誤差信号の利得を調整すること
をさらに含むことを特徴とする請求項５９に記載の方法。
【請求項７５】
（ｆ）前記推定周波数誤差信号を比較−積分−微分（ＰＩＤ）アルゴリズムを用いて処理すること
をさらに含むことを特徴とする請求項５９に記載の方法。
【請求項７６】
正規化最小平均二乗（ＮＬＭＳ）アルゴリズムを利用してステップ（ａ）が行われることを特徴とする請求項５９に記載の方法。
【請求項７７】
集積回路（ＩＣ）であって、
サンプルデータストリームの等化を行い、前記等化に基づいてフィルタタップ値を生成する等化器と、
前記フィルタタップ値の少なくとも１つに基づいて推定周波数誤差信号を生成する周波数誤差推定器と、
前記推定周波数誤差信号に基づいて回転位相ベクトル信号を生成する発振器と、
前記回転位相ベクトル信号を前記サンプルデータストリームと掛け合わせて、前記サンプルデータストリームの周波数を訂正する乗算器と
を備えることを特徴とするＩＣ。
【請求項７８】
前記周波数誤差推定器は、
前記等化器によって生成される前記フィルタタップ値から適切なタップ値を抽出し、前記抽出タップ値を出力するタップ抽出ユニットと、
前記タップ抽出ユニットに結合された、前記抽出タップ値を遅延させる遅延ユニットと、
前記タップ抽出ユニットと前記遅延ユニットに結合された、前記抽出タップ値の共役を生成する共役生成器と、
前記遅延ユニットと前記共役生成器に結合された、前記抽出タップ値の前記共役を前記遅延抽出タップ値と掛け合わせて、前記共役抽出タップ値と前記遅延抽出タップ値の位相差を表す位相差信号を生成する第１の乗算器と
を備えることを特徴とする請求項７７に記載のＩＣ。
【請求項７９】
前記周波数誤差推定器は、
前記第１の乗算器の出力に結合された、前記共役抽出タップ値と前記遅延抽出タップ値の前記位相差を測定する逆正接ユニットと、
前記測定された位相差を平均して、前記周波数誤差推定器から前記推定周波数誤差信号として前記平均された位相差を出力させるための第１のフィルタと
をさらに備えることを特徴とする請求項７８に記載のＩＣ。
【請求項８０】
前記周波数誤差推定器は、前記乗算器と前記第１のフィルタに結合された、閾値信号の値に基づいて前記第１のフィルタに、前記第１のフィルタを休止させる保留信号を選択的に送る比較回路をさらに備えることを特徴とする請求項７９に記載のＩＣ。
【請求項８１】
前記比較回路は、
前記第１の乗算器と前記逆正接ユニットに結合された、前記位相差信号の振幅を計算する振幅検出器と、
前記位相差信号の前記振幅を前記閾値信号の前記値と比較し、前記位相差信号の前記振幅が前記閾値信号の前記値を下回る場合には、前記保留信号を生成する比較器と
を備えることを特徴とする請求項８０に記載のＩＣ。
【請求項８２】
前記比較回路は、
前記位相差信号の前記振幅を平均する第２のフィルタと、
前記位相差信号の前記平均振幅と倍率を掛け合わせて前記閾値信号を生成する第２の乗算器と
をさらに備えることを特徴とする請求項８１に記載のＩＣ。
【請求項８３】
前記比較回路は、
前記位相差信号の瞬時電力を計算する電力検出器と、
前記位相差信号の前記瞬時電力を閾値信号の値と比較する比較器であり、前記位相差信号の前記瞬時電力が前記閾値信号の前記値を下回る場合には、前記保留信号を生成する前記比較器と
を備えることを特徴とする請求項８０に記載のＩＣ。
【請求項８４】
前記比較回路は、
前記位相差信号の前記瞬時電力を平均する第２のフィルタと、
前記位相差信号の前記平均瞬時電力と倍率を掛け合わせて前記閾値信号を生成する第２の乗算器と
をさらに備えることを特徴とする請求項８３に記載のＩＣ。
【請求項８５】
前記周波数誤差推定器は、
前記等化器によって生成される前記フィルタタップ値から複数のタップ値を抽出し、前記抽出タップ値を平均して、前記抽出タップ値の平均値を生成するタップ抽出ユニットと、
前記タップ抽出ユニットに結合された、前記平均タップ値を遅延させる遅延ユニットと、
前記タップ抽出ユニットと前記遅延ユニットに結合された、前記平均タップ値の共役を生成する共役生成器と、
前記遅延ユニットと前記共役生成器に結合された、前記平均タップ値の前記共役を前記遅延平均タップ値と掛け合わせて、前記共役平均タップ値と前記遅延平均タップ値の位相差を表す位相差信号を生成する第１の乗算器と
を備えることを特徴とする請求項７７に記載のＩＣ。
【請求項８６】
前記周波数誤差推定器は、
前記第１の乗算器の出力に結合された、前記共役平均タップ値と前記遅延平均タップ値の前記位相差を測定する逆正接ユニットと、
前記測定された位相差を平均して、前記周波数誤差推定器から前記推定周波数誤差信号として前記平均された位相差を出力させるための第１のフィルタと
をさらに備えることを特徴とする請求項８５に記載のＩＣ。
【請求項８７】
前記周波数誤差推定器は、前記乗算器と前記第１のフィルタに結合された、閾値信号の値に基づいて前記第１のフィルタに、前記第１のフィルタを休止させる保留信号を選択的に送る比較回路をさらに備えることを特徴とする請求項８６に記載のＩＣ。
【請求項８８】
前記比較回路は、
前記第１の乗算器と前記逆正接ユニットに結合された、前記位相差信号の振幅を計算する振幅検出器と、
前記位相差信号の前記振幅を前記閾値信号の前記値と比較し、前記位相差信号の前記振幅が前記閾値信号の前記値を下回る場合には、前記保留信号を生成する比較器と
を備えることを特徴とする請求項８７に記載のＩＣ。
【請求項８９】
前記比較回路は、
前記位相差信号の前記振幅を平均する第２のフィルタと、
前記位相差信号の前記平均振幅と倍率を掛け合わせて前記閾値信号を生成する第２の乗算器と
をさらに備えることを特徴とする請求項８８に記載のＩＣ。
【請求項９０】
前記比較回路は、
前記位相差信号の瞬時電力を計算する電力検出器と、
前記位相差信号の前記瞬時電力を前記閾値信号の前記値と比較する比較器であり、前記位相差信号の前記瞬時電力が前記閾値信号の前記値を下回る場合には、前記保留信号を生成する前記比較器と
を備えることを特徴とする請求項８７に記載のＩＣ。
【請求項９１】
前記比較回路は、
前記位相差信号の前記瞬時電力を平均する第２のフィルタと、
前記位相差信号の前記平均瞬時電力と倍率を掛け合わせて前記閾値信号を生成する第２の乗算器と
をさらに備えることを特徴とする請求項９０に記載のＩＣ。
【請求項９２】
前記周波数誤差推定器と前記発振器の間に結合された、前記推定周波数誤差信号の利得を調整するコントローラをさらに備えることを特徴とする請求項７７に記載のＩＣ。
【請求項９３】
前記発振器は、前記コントローラによって制御される数値制御発振器（ＮＣＯ）であることを特徴とする請求項９２に記載のＩＣ。
【請求項９４】
前記周波数誤差推定器と前記発振器の間に結合されたコントローラであり、前記周波数誤差推定器から受け取られた前記推定周波数誤差信号を比較−積分−微分（ＰＩＤ）アルゴリズムを用いて処理し、前記処理された推定周波数誤差信号を前記発振器に入力する前記コントローラをさらに備えることを特徴とする請求項７７に記載のＩＣ。
【請求項９５】
前記発振器は、前記コントローラによって制御される数値制御発振器（ＮＣＯ）であることを特徴とする請求項９４に記載のＩＣ。
【請求項９６】
前記等化器は、正規化最小平均二乗（ＮＬＭＳ）アルゴリズムを利用することを特徴とする請求項７７に記載のＩＣ。
【請求項９７】
無線送信／受信ユニット（ＷＴＲＵ）に組み込まれていることを特徴とする請求項７７に記載のＩＣ。
【請求項９８】
基地局に組み込まれていることを特徴とする請求項７７に記載のＩＣ。
【請求項９９】
集積回路（ＩＣ）であって、
サンプルデータストリームのチャネル推定を行い、前記チャネル推定に基づいてレイク受信機フィンガ重みを生成するチャネル推定器と、
前記フィンガ重みの少なくとも１つに基づいて推定周波数誤差信号を生成する周波数誤差推定器と、
前記推定周波数誤差信号に基づいて回転位相ベクトル信号を生成する発振器と、
前記回転位相ベクトル信号を前記サンプルデータストリームと掛け合わせて、前記サンプルデータストリームの周波数を訂正する乗算器と
を備えることを特徴とするＩＣ。
【請求項１００】
前記周波数誤差推定器は、
前記チャネル推定器によって生成される前記レイク受信機フィンガ重みから適切なレイク受信機フィンガ重みを抽出するタップ抽出ユニットと、
前記タップ抽出ユニットに結合された、前記抽出フィンガ重みを遅延させる遅延ユニットと、
前記タップ抽出ユニットと前記遅延ユニットに結合された、前記抽出フィンガ重みの共役を生成する共役生成器と、
前記遅延ユニットと前記共役生成器に結合された、前記抽出フィンガ重みの前記共役を前記遅延抽出フィンガ重みと掛け合わせて、前記共役抽出フィンガ重みと前記遅延抽出フィンガ重みの位相差を表す位相差信号を生成する第１の乗算器と
を備えることを特徴とする請求項９９に記載のＩＣ。
【請求項１０１】
前記周波数誤差推定器は、
前記第１の乗算器の出力に結合された、前記共役抽出フィンガ重みと前記遅延抽出フィンガ重みの前記位相差を測定する逆正接ユニットと、
前記測定された位相差を平均して、前記周波数誤差推定器から前記推定周波数誤差信号として前記平均された位相差を出力させるための第１のフィルタと
をさらに備えることを特徴とする請求項１００に記載のＩＣ。
【請求項１０２】
前記周波数誤差推定器は、前記乗算器と前記第１のフィルタに結合された、閾値信号の値に基づいて前記第１のフィルタに、前記第１のフィルタを休止させる保留信号を選択的に送る比較回路をさらに備えることを特徴とする請求項１０１に記載のＩＣ。
【請求項１０３】
前記比較回路は、
前記第１の乗算器と前記逆正接ユニットに結合された、前記位相差信号の振幅を計算する振幅検出器と、
前記位相差信号の前記振幅を前記閾値信号の前記値と比較し、前記位相差信号の前記振幅が前記閾値信号の前記値を下回る場合には、前記保留信号を生成する比較器と
を備えることを特徴とする請求項１０２に記載のＩＣ。
【請求項１０４】
前記比較回路は、
前記位相差信号の前記振幅を平均する第２のフィルタと、
前記位相差信号の前記平均振幅と倍率を掛け合わせて前記閾値信号を生成する第２の乗算器と
をさらに備えることを特徴とする請求項１０３に記載のＩＣ。
【請求項１０５】
前記比較回路は、
前記位相差信号の瞬時電力を計算する電力検出器と、
前記位相差信号の前記瞬時電力を前記閾値信号の前記値と比較する比較器であり、前記位相差信号の前記瞬時電力が前記閾値信号の前記値を下回る場合には、前記保留信号を生成する前記比較器と
を備えることを特徴とする請求項１０２に記載のＩＣ。
【請求項１０６】
前記比較回路は、
前記位相差信号の前記瞬時電力を平均する第２のフィルタと、
前記位相差信号の前記平均瞬時電力と倍率を掛け合わせて前記閾値信号を生成する第２の乗算器と
をさらに備えることを特徴とする請求項１０５に記載のＩＣ。
【請求項１０７】
前記周波数誤差推定器は、
前記チャネル推定器によって生成される前記レイク受信機フィンガ重みから複数のレイク受信機フィンガ重みを抽出し、前記抽出フィンガ重みを平均して前記抽出フィンガ重みの平均フィンガ重みを生成するタップ抽出ユニットと、
前記タップ抽出ユニットに結合された、前記平均フィンガ重みを遅延させる遅延ユニットと、
前記タップ抽出ユニットと前記遅延ユニットに結合された、前記平均フィンガ重みの共役を生成する共役生成器と、
前記遅延ユニットと前記共役生成器に結合された、前記平均フィンガ重みの前記共役を前記遅延平均フィンガ重みと掛け合わせて、前記共役平均フィンガ重みと前記遅延平均フィンガ重みの位相差を表す位相差信号を生成する第１の乗算器と
を備えることを特徴とする請求項９９に記載のＩＣ。
【請求項１０８】
前記周波数誤差推定器は、
前記第１の乗算器の出力に結合された、前記共役平均フィンガ重みと前記遅延平均フィンガ重みの前記位相差を測定する逆正接ユニットと、
前記測定された位相差を平均して、前記周波数誤差推定器から前記推定周波数誤差信号として前記平均された位相差を出力させるための第１のフィルタと
をさらに備えることを特徴とする請求項１０７に記載のＩＣ。
【請求項１０９】
前記周波数誤差推定器は、前記乗算器と前記第１のフィルタに結合された、閾値信号の値に基づいて前記第１のフィルタに、前記第１のフィルタを休止させる保留信号を選択的に送る比較回路をさらに備えることを特徴とする請求項１０８に記載のＩＣ。
【請求項１１０】
前記比較回路は、
前記第１の乗算器と前記逆正接ユニットに結合された、前記位相差信号の振幅を計算する振幅検出器と、
前記位相差信号の前記振幅を前記閾値信号の前記値と比較し、前記位相差信号の前記振幅が前記閾値信号の前記値を下回る場合には、前記保留信号を生成する比較器と
を備えることを特徴とする請求項１０９に記載のＩＣ。
【請求項１１１】
前記比較回路は、
前記位相差信号の前記振幅を平均する第２のフィルタと、
前記位相差信号の前記平均振幅と倍率を掛け合わせて前記閾値信号を生成する第２の乗算器と
さらに備えることを特徴とする請求項１１０に記載のＩＣ。
【請求項１１２】
前記比較回路は、
前記位相差信号の瞬時電力を計算する電力検出器と、
前記位相差信号の前記瞬時電力を前記閾値信号の前記値と比較する比較器であり、前記位相差信号の前記瞬時電力が前記閾値信号の前記値を下回る場合には、前記保留信号を生成する前記比較器と
を備えることを特徴とする請求項１０９に記載のＩＣ。
【請求項１１３】
前記比較回路は、
前記位相差信号の前記瞬時電力を平均する第２のフィルタと、
前記位相差信号の前記瞬時電力と倍率を掛け合わせて前記閾値信号を生成する第２の乗算器と
をさらに備えることを特徴とする請求項１１２に記載のＩＣ。
【請求項１１４】
前記周波数誤差推定器と前記発振器の間に結合された、前記推定周波数誤差信号の利得を調整するコントローラをさらに備えることを特徴とする請求項１０９に記載のＩＣ。
【請求項１１５】
前記発振器は、前記コントローラによって制御される数値制御発振器（ＮＣＯ）であることを特徴とする請求項１１４に記載のＩＣ。
【請求項１１６】
前記周波数誤差推定器と前記発振器の間に結合されたコントローラであり、前記周波数誤差推定器から受け取られた前記推定周波数誤差信号を比較−積分−微分（ＰＩＤ）アルゴリズムを用いて処理し、前記処理された推定周波数誤差信号を前記発振器に入力する前記コントローラをさらに備えることを特徴とする請求項１０９に記載のＩＣ。
【請求項１１７】
前記発振器は、前記コントローラによって制御される数値制御発振器（ＮＣＯ）であることを特徴とする請求項１１６に記載のＩＣ。
【請求項１１８】
前記等化器は、正規化最小平均二乗（ＮＬＭＳ）アルゴリズムを利用することを特徴とする請求項１０９に記載のＩＣ。
【請求項１１９】
無線送信／受信ユニット（ＷＴＲＵ）に組み込まれていることを特徴とする請求項９９に記載のＩＣ。
【請求項１２０】
基地局に組み込まれていることを特徴とする請求項９９に記載のＩＣ。
【発明の詳細な説明】
【技術分野】
【０００１】
本発明は、無線受信機に関し、より詳細には、受信機においてベースバンドの周波数誤差を推定し、訂正する方法および装置に関する。
【背景技術】
【０００２】
無線送信／受信ユニット（ＷＴＲＵ）および基地局において使用される正規化最小平均二乗（ＮＬＭＳ）等化器などの適応受信機は、これらに関連付けられるフィルタタップ値を、複数の反復を必要とする反復手順を通じて、ほぼ収束するまで最適化する。タップ値は、時間が経過するにつれて、チャネル推定を行うのに使用される最小平均二乗誤差（ＭＭＳＥ）解に収束する。
【０００３】
ＮＬＭＳ受信機は、時間と共に変動するチャネルを追跡しようとするときに絶えず収束の過程にある等化フィルタを有する等化器を含む。チャネルの追跡が複雑であるほど、等化器のタップ値は、収束から遠くなる。一般に、高速なチャネル（すなわち、急速に発展するチャネル状態）ほど、等化器にとって追跡するのが難しい。等化器のベースバンドへの入力における残留自動周波数制御（ＡＦＣ）誤差が、チャネルを、実際よりも高速なように見せる。チャネルの見かけ速度の増大は、ＮＬＭＳ受信機によって実施されるＮＬＭＳアルゴリズムのステップサイズを増大させても、一部しか軽減され得ない。増大されたステップサイズは、等化フィルタが、「高速」チャネルをより正確に追跡することを可能にするが、これは、受信機の性能を低下させるＭＭＳＥ解の誤差も増大させる。
【発明の開示】
【発明が解決しようとする課題】
【０００４】
チャネル推定を用いる受信機もまた、残留ＡＦＣ誤差によって機能が低下する。チャネル推定で使用される適切な等化フィルタの帯域幅は、チャネルの見かけ速度の関数であるため、大きなＡＦＣ誤差は、雑音を効率よく抑制しない広帯域フィルタの使用を余儀なくさせ、よって、より不正確なチャネル推定値をもたらす。残留ＡＦＣ誤差を抑制する簡単な解決法が求められている。
【課題を解決するための手段】
【０００５】
本発明は、受信機におけるベースバンド周波数誤差を推定し、訂正する方法および装置に関するものである。一実施形態では、等化器が、サンプルデータストリームの等化を行い、この等化に基づいてフィルタタップ値を生成する。フィルタタップ値の少なくとも１つに基づいて推定周波数誤差信号が生成される。推定周波数誤差信号に基づいて、回転位相ベクトルが生成される。回転位相ベクトル信号がサンプルデータストリームと掛け合わされて、サンプルデータストリームの周波数が訂正される。別の実施形態では、チャネル推定器がチャネル推定を行い、フィンガ重みの少なくとも１つに基づいてレイク受信機フィンガ重みを生成する。フィンガ重みの少なくとも１つに基づいて、推定周波数誤差信号が生成される。
【０００６】
例として示す以下の詳細な説明を、添付の図面と併せて理解すれば、本発明のより詳細な理解が得られるであろう。
【発明を実施するための最良の形態】
【０００７】
図面を参照して、好ましい実施形態について説明する。図面全体を通して類似の番号は類似の要素を表す。
【０００８】
以下において、「ＷＴＲＵ」という用語は、それだけに限らないが、ユーザ機器（ＵＥ）、移動局、ラップトップ、携帯情報端末（ＰＤＡ）、固定または移動加入者ユニット、ページャ、または無線環境で動作することのできる他の任意の種類の機器を含むものである。以下で言及するとき、「基地局」という用語は、それだけに限らないが、アクセスポイント（ＡＰ）、ノードＢ、サイトコントローラまたは無線環境における他の任意の種類のインターフェース機器を含むものである。
【０００９】
本発明の特徴は、集積回路（ＩＣ）に組み込まれてもよく、または多数の相互に接続された構成要素を備える回路で構成されてもよい。
【００１０】
以下では、本発明を、ＮＬＭＳ等化器の観点から説明する。しかしながら、ＮＬＭＳ等化器ベースの受信機は例として示すものであり、本発明は、ブロックベースの等化器やレイク受信機など、他の任意の適応等化アルゴリズムを実施する受信機、およびチャネル推定を用いる受信機にも適用され得ることに留意すべきである。
【００１１】
図１は、本発明の一実施形態による、残留ＡＦＣ誤差を除去するＢＦＣシステム１００の例を示すブロック図である。ＢＦＣシステム１００は、ＷＴＲＵまたは基地局に組み込まれていてもよい。ＢＦＣシステム１００は、乗算器１０２と、等化器１０４と、周波数誤差推定器１０６と、コントローラ１０８と、数値制御発振器（ＮＣＯ）１１０を含む。等化器１０４は、乗算器１０２を介して受信機フロントエンド（不図示）によって提供されるサンプルデータストリーム１１２を処理する。等化器は、ＮＬＭＳアルゴリズムに従って動作してもよい。しかしながら、他の任意の種類の適応等化アルゴリズムも適用され得る。
【００１２】
等化器１０４によって生成されるフィルタタップ値１１４が、周波数誤差推定器１０６への入力として提供される。周波数誤差推定器１０６は、推定周波数誤差信号１１６を生成する。ＡＦＣ後の残留周波数誤差は、等化器１０４における少なくとも１つのタップ値の観測だけに基づくＢＦＣによって、あるいは代替として、レイクフィンガ複合重み推定など、一部のチャネル推定値からのＢＦＣによって大幅に低減され得る。ＢＦＣは、等化器１０４における１つまたは複数のタップの観測に基づいて周波数誤差を推定し、複合正弦曲線（または回転位相ベクトル）からなる訂正信号を生成し、入力サンプルデータストリームを位相ベクトルによって乗じることによってこれを訂正し、周波数訂正サンプル１１８を、閉ループ式で等化器１０４の入力に適用することによって達成される。
【００１３】
残留周波数誤差は、等化器１０４のタップ値の１つまたは複数の相変化（あるいは代替として、一部のチャネル推定値）を周期的に測定することによって推定される。サンプルごとに等化フィルタタップ１１４で測定される相変化の大部分は、雑音とフェージングによるものである。しかしながら、フェージングと雑音による相変化はゼロ平均である（例えば、ゼロの平均値を有するなど）。したがって、任意のサンプル平均の期待される値はゼロになり、すなわち、信号の平均値はゼロである。よって、フィルタリングを使って、（例えば、残留ＡＦＣ誤差などによる）全相変化から、相変化を生じさせる雑音とフェージングの成分が除去され、周波数誤差による、ゆっくり変動する相変化が回復され得る。
【００１４】
周波数誤差推定器１０６によって周波数誤差が推定されると、コントローラ１０８は、推定周波数誤差信号１１６を処理して、周波数調整信号１２０を生成する。コントローラ１０８は、単に、推定周波数誤差信号１１６の利得を調整するだけでもよく、より複雑なアルゴリズム（比例−積分−微分（ＰＩＤ）など）を用いて推定周波数誤差信号１１６を処理してもよい。周波数調整信号１２０は、ＮＣＯ１１０に供給され、ＮＣＯ１１０は、周波数調整信号１２０に対応する回転位相ベクトル１２２を生成する。乗算器１０２は、回転位相ベクトル１２２をサンプルデータストリーム１１２と掛け合わせて、等化器１０４に入力される周波数訂正サンプル１１８を生成する。
【００１５】
残留ＡＦＣ誤差は、ベースバンドにおいて、ベースバンド信号の乗法誤差として現れ、ｇ（ｔ）＊ｅｘｐ（ｊ＊２ｐｉ＊ｆ＊ｔ）などの複合正弦曲線の形を有する（式中、ｇ（ｔ）は所望の誤差のないベースバンド信号であり、ｅｘｐ（ｊ＊２ｐｉ＊ｆ＊ｔ）は誤差を表す複合正弦曲線である）。ｅｘｐ（−ｊ＊２ｐｉ＊ｆ＊ｔ）で乗じることによって、複合正弦曲線が約され、所望の信号ｇ（ｔ）だけが残る。推定周波数誤差信号１１６は、コントローラ１０８への入力であり、コントローラ１０８は、さらに、例えば、推定周波数誤差信号１１６の値の４倍などといった、入力の拡縮（すなわち比例）バージョンとすることのできる信号１２０を出力する。また、コントローラ１０８の出力信号１２０は、推定周波数誤差信号１１６の積分および／または微分に比例する項など、他の項も含み得る。より一般的には、出力信号１２０は、ある範囲内になるように、またはこれに適用される別のかかる非線形関数を有するようにクリップすることもできる。ＮＣＯ（１１０）は、入力として、周波数値を取り、例えば、（ｆを入力周波数とする）ｅｘｐ（ｊ＊２ｐｉ＊ｆ＊ｔ）など、入力の値に等しい瞬時周波数を有する一定の振幅の複合信号を出力する。
【００１６】
図２は、図１に示すＢＦＣシステム１００の周波数誤差推定器１０６を示すブロック図である。周波数誤差推定器１０６は、タップ抽出ユニット２０２と、遅延ユニット２０４と、共役生成器２０６と、乗算器２０８、２１０と、逆正接ユニット２１２と、振幅検出器２１４と、平均化フィルタ２１６と、相変化フィルタ２１８と、比較器２２０を含む。等化器は、周波数誤差推定器１０６に供給されるフィルタタップ１１４を生成する。
【００１７】
周波数誤差推定器１０６において、タップ抽出ユニット２０２は、周波数推定を行うのに使用するために、フィルタタップ１１４から（あるいは代替としてチャネル推定器から）適切なタップ値またはタップ値の平均値を抽出し、出力信号２０３上に出力する。例えば、特定のチャネルのＦＳＰに対応する少なくとも１つの適切なタップ値が、等化フィルタタップ１１４から抽出され得る。また、タップ抽出ユニット２０２は、抽出タップ値の周波数変動を追跡してもよい。
【００１８】
抽出タップ値２０３は、遅延ユニット２０４と共役ユニット２０６に送られる。遅延ユニット２０４は、遅延タップ値２０５を出力することによって抽出タップ値２０３を所定の期間にわたって遅延させる。共役生成器は、抽出タップ値２０３の共役２０７を生成するのに使用される。乗算器２０８は、遅延タップ値２０５を、共役タップ値２０７で乗じる。乗算器２０８の出力２０９は、遅延タップ値２０５と共役タップ値２０７の位相差に等しい位相値を有する。この位相値は、信号２０３の、したがって、サンプルデータストリーム１１２の平均周波数に比例する。
【００１９】
逆正接ユニット２１２は、乗算器２０８の出力２０９の角度値２１３を測定する。角度値２１３は、信号２０５と信号２０７の位相差に等しい。したがって、角度値２１３を平均することは、信号２０５と信号２０７の位相差を平均することと等価である。角度値２１３は、角度値２１３を平均する相変化フィルタ２１８によってフィルタリングされる。測定された平均位相差と知られている遅延を使って、推定周波数誤差信号１１６が生成される。
【００２０】
例えば、遅延Ｄ（秒）とラジアン単位で測定された位相を用いる場合、周波数誤差推定器１０６の利得は１／（２＊ＰＩ＊Ｄ）である。「利得」とは、（信号１１４によって示される）正味の周波数誤差を有する信号の、推定周波数誤差信号１１６の観測値への変換をいう。信号１１４が１Ｈｚの平均周波数を有する場合、推定周波数誤差信号１１６上の出力値は、１／（２＊ＰＩ＊Ｄ）になる。
【００２１】
振幅検出ユニット２１４は、乗算器２０８の出力２０９の振幅を計算し、計算された振幅値２１５を、比較器２２０の第１の入力Ｘと、平均化を行う平均化フィルタ２１６に送る。乗算器２１０は、平均化フィルタ２１６の出力信号２１７（すなわち、信号２１５の平均値）を、閾値係数値２１９（例えば、値Ｔを有する倍率など）と掛け合わせて閾値信号２２２を生成し、これが、比較器２２０の第２の入力Ｙに送られる。閾値信号２２２の値は、乗算器２０８の出力２０９の平均振幅の分数に設定されてもよい。閾値係数値Ｔは、例えば、１／３に設定され得る。比較器２２０は、計算された振幅値２１５を、閾値信号２２２の値と比較し、計算された振幅値２１５が閾値信号２２２の値を下回る場合には、相変化フィルタ２１８に保留信号２２１を送る。
【００２２】
乗算器２０８の出力２０９の振幅が測定され、乗算器２０８の出力２０９の平均振幅と比較され、それによって、乗算器２０８の出力２０９の振幅が閾値を下回るときには常に、相変化フィルタ２１８が休止される。フィルタ２１８が休止されると、推定周波数誤差信号１１６が変化せず（すなわち、信号１１６が更新されず）、入力２１３が使用されず、フィルタ２１８の内部状態が変化しない。保留信号２２１は、信号２０９が比較的小さいときには常に真である。これには、角度値に雑音があるときには常に信号２１３の角度値を廃棄し、チャネルが深いフェードを被るときに推定周波数誤差信号１１６を改善する効果がある。
【００２３】
代替として、振幅検出器２１４を電力検出器（不図示）で置き換えて、乗算器２０８の出力２０９の平均電力（すなわち二乗振幅）が計算され、それによって出力２０９の瞬時電力が、平均電力のある割合と比較されてもよい。
【００２４】
また、別の変形も可能である。
【００２５】
図３は、本発明の別の実施形態による、残留ＡＦＣ誤差を除去するＢＦＣシステム３００を示すブロック図である。ＢＦＣシステム１００は、ＷＴＲＵまたは基地局に組み込まれていてもよい。ＢＦＣシステム３００は、乗算器３０２と、レイク結合器（またはブロック等化器）３０４と、チャネル推定器３０６と、周波数誤差推定器３０８と、コントローラ３１０と、ＮＣＯ３１２を含む。
【００２６】
レイク受信機では、レイクフィンガに割り当てられた特定のマルチパス成分のチャネル推定に基づいて、フィンガ重みが決定される。チャネル推定器３０６は、周波数誤差推定器３０８への入力として提供されるレイク受信機フィンガ重み３１６を生成する。周波数誤差推定器３０８は、図１および２に示す周波数誤差推定器１０６と同様に動作する。
【００２７】
周波数誤差が周波数誤差推定器３０８によって推定されると、コントローラ３１０は、推定周波数誤差信号３１８を処理して、周波数調整信号３２２を生成する。周波数調整信号３２２は、ＮＣＯ３１２に供給され、ＮＣＯ３１２は、周波数調整信号３２２に対応する回転位相ベクトル３２４を生成する。乗算器３０２は、回転位相ベクトル３２４をサンプルデータストリーム３１４と掛け合わせて、チャネル推定器３０６とレイク結合器３０４に入力される周波数訂正サンプル３２０を生成する。代替として、レイク結合器３０４の代わりに、ブロック等化器が使用されてもよい。
【００２８】
周波数誤差推定器３０８によって生成された推定周波数誤差信号３１８は、コントローラ３１０とＮＣＯ３１２によって処理され、ＮＣＯ３１２は、回転位相ベクトル３２４をサンプルデータストリーム３１４に適用する。
【００２９】
図４は、本発明の一実施形態による、等価を行う等化器を有する無線通信受信機においてサンプルデータストリームの周波数を訂正する方法ステップを含むプロセス４００を示すハイレベル流れ図である。ステップ４０５で、サンプルデータストリームの等価が行われる。ステップ４１０で、等価に基づいてフィルタタップ値が生成される。ステップ４１５で、フィルタタップ値の少なくとも１つに基づいて推定周波数誤差信号が生成される。ステップ４２０で、推定周波数誤差信号に基づいて回転位相ベクトル信号が生成される。ステップ４２５で、回転位相ベクトル信号がサンプルデータストリームと掛け合わされて、サンプルデータストリームの周波数が訂正される。
【００３０】
図５は、図４のプロセス４００で使用される等化器によって生成されるフィルタタップ値から抽出されるフィルタタップ値に基づいて推定周波数誤差信号を生成する方法ステップを含むプロセス５００を示す流れ図である。ステップ５０５で、（図４のステップ４１０で生成される）フィルタタップ値から適切なタップ値が抽出される。ステップ５１０で、抽出タップ値が遅延される。ステップ５１５で、抽出タップ値の共役が生成される。ステップ５２０で、抽出タップ値の共役が遅延抽出タップ値と掛け合わされて、共役抽出タップ値と遅延抽出タップ値の位相差を表す位相差信号が生成される。ステップ５２５で、共役抽出タップ値と遅延抽出タップ値の位相差が測定される。ステップ５３０で、測定された位相差を平均することによって、推定周波数誤差信号が生成される。ステップ５３５で、推定周波数誤差信号が、閾値信号の値に基づいて、更新されるのを選択的に回避される。
【００３１】
図６は、本発明の一実施形態による、平均されている複数の抽出タップ値に基づいて推定周波数誤差信号を生成する方法ステップを含むプロセス６００を示す流れ図である。ステップ６０５で、（図４のステップ４１０で生成される）フィルタタップ値から、複数のタップ値が抽出される。ステップ６１０で、抽出タップ値が平均されて、抽出タップ値の平均値が生成される。ステップ６１５で、平均タップ値が遅延される。ステップ６２０で、平均タップ値の共役が生成される。ステップ６２５で、平均タップ値の共役が遅延平均タップ値と掛け合わされて、共役平均タップ値と遅延平均タップ値の位相差を表す位相差信号が生成される。ステップ６３０で、共役平均タップ値と遅延平均タップ値の位相差が測定される。ステップ６３５で、測定された位相差を平均することによって推定周波数誤差信号が生成される。ステップ６４０で、推定周波数誤差信号が、閾値信号の値に基づいて、更新されるのを選択的に妨げられる。
【００３２】
図７は、本発明の一実施形態による、位相差信号の振幅を閾値信号の値と比較して、推定周波数誤差信号が更新されるのを妨げられるべきかどうか判定する方法ステップを含むプロセス７００を示す流れ図である。ステップ７０５で、位相差信号の振幅が計算される。ステップ７１０で、位相差信号の振幅が平均される。ステップ７１５で、位相差信号の平均振幅と倍率を掛け合わせることによって、閾値信号が生成される。ステップ７２０で、位相差信号の振幅が、閾値信号の値と比較される。ステップ７２５で、位相差信号の振幅が閾値信号の値を下回る場合には、推定周波数誤差信号が、更新されるのを妨げられる。
【００３３】
図８は、本発明の一実施形態による、位相差信号の瞬時電力を閾値信号の値と比較して、推定周波数誤差信号が更新されるのを妨げられるべきかどうか判定する方法ステップを含むプロセス８００を示す流れ図である。ステップ８０５で、位相差信号の瞬時電力が計算される。ステップ８１０で、位相差信号の瞬時電力が平均される。ステップ８１５で、位相差信号の平均瞬時電力と倍率を掛け合わせることによって、閾値信号が生成される。ステップ８２０で、位相差信号の瞬時電力が、閾値信号の値と比較される。ステップ８２５で、位相差信号の瞬時電力が閾値信号の値を下回る場合には、推定周波数誤差信号が、更新されるのを妨げられる。
【００３４】
図９は、本発明の一実施形態による、チャネル推定を行うチャネル推定器を有する無線通信受信機においてサンプルデータストリームの周波数を訂正する方法ステップを含むプロセス９００を示すハイレベル流れ図である。ステップ９０５で、サンプルデータストリームでチャネル推定が行われる。ステップ９１０で、チャネル推定に基づいてレイク受信機フィンガ重みが生成される。ステップ９１５で、フィンガ重みの少なくとも１つに基づいて推定周波数誤差信号が生成される。ステップ９２０で、推定周波数誤差信号に基づいて回転位相ベクトル信号が生成される。ステップ９２５で、回転位相ベクトル信号がサンプルデータストリームと掛け合わされて、サンプルデータストリームの周波数が訂正される。
【００３５】
図１０は、図９のプロセス９００で使用されるチャネル推定器によって生成されるレイク受信機フィンガ重みから抽出されるフィンガ重みに基づいて推定周波数誤差信号を生成する方法ステップを含むプロセス１０００を示す流れ図である。ステップ１００５で、（図９のステップ９１０で生成される）レイク受信機フィンガ重みから、適切なフィンガ重みが抽出される。ステップ１０１０で、抽出フィンガ重みが遅延される。ステップ１０１５で、抽出フィンガ重みの共役が生成される。ステップ１０２０で、抽出フィンガ重みの共役が遅延抽出フィンガ重みと掛け合わされて、共役抽出フィンガ重みと遅延抽出フィンガ重みの位相差を表す位相差信号が生成される。ステップ１０２５で、共役抽出フィンガ重みと遅延抽出フィンガ重みの位相差が測定される。ステップ１０３０で、測定された位相差を平均することによって、推定周波数誤差信号が生成される。ステップ１０３５で、推定周波数誤差信号が、閾値信号の値に基づいて、更新されるのを選択的に妨げられる。
【００３６】
本発明の特徴および要素を、好ましい実施形態において、特定の組合せとして説明しているが、各特徴または要素は、好ましい実施形態のその他の特徴および要素なしで、単独で使用されてもよく、本発明の別の特徴および要素との、または本発明の別の特徴および要素なしでの様々な組合せとして使用されてもよい。
【図面の簡単な説明】
【００３７】
【図１】本発明の一実施形態による、残留ＡＦＣ誤差を除去する周波数誤差推定器を含むＢＦＣシステムの例を示すブロック図である。
【図２】図１のシステム１００の周波数誤差推定器を示すブロック図である。
【図３】本発明の別の実施形態によるＢＦＣシステムの例を示すブロック図である。
【図４】本発明の一実施形態による、等化を行う等化器を有する無線通信受信機においてサンプルデータストリームの周波数を訂正するプロセスを示すハイレベル流れ図である。
【図５】図４のプロセスで使用される等化器によって生成されるフィルタタップ値から抽出されるフィルタタップ値に基づいて推定周波数誤差信号を生成するプロセスを示す流れ図である。
【図６】本発明の一実施形態による、平均されている複数の抽出タップ値に基づいて推定周波数誤差信号を生成するプロセスを示す流れ図である。
【図７】本発明の一実施形態による、位相差信号の振幅を閾値信号の値と比較して、推定周波数誤差信号が更新されるのを妨げられるべきかどうか判定するプロセスを示す流れ図である。
【図８】本発明の一実施形態による、位相差信号の瞬時電力を閾値信号の値と比較して、推定周波数誤差信号が更新されるのを妨げられるべきかどうか判定するプロセスを示す流れ図である。
【図９】本発明の一実施形態による、チャネル推定を行うチャネル推定器を有する無線通信受信機においてサンプルデータストリームの周波数を訂正するプロセスを示すハイレベル流れ図である。
【図１０】図９のプロセスで使用されるチャネル推定器によって生成されるレイク受信機フィンガ重みから抽出されるフィンガ重みに基づいて推定周波数誤差信号を生成するプロセスを示す流れ図である。
【図１】
2008519554.tif 000003
【図２】
2008519554.tif 000004
【図３】
2008519554.tif 000005
【図４】
2008519554.tif 000006
【図５】
2008519554.tif 000007
【図６】
2008519554.tif 000008
【図７】
2008519554.tif 000009
【図８】
2008519554.tif 000010
【図９】
2008519554.tif 000011
【図１０】
2008519554.tif 000012
【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
無線通信受信機におけるベースバンド周波数訂正（ＢＦＣ）システムであって、
サンプルデータストリームの等化を行い、前記等化に基づいてフィルタタップ値を生成する等化器と、
前記フィルタタップ値の少なくとも１つに基づいて推定周波数誤差信号を生成する周波数誤差推定器であって、
前記等化器によって生成される前記フィルタタップ値から適切なタップ値を抽出し、前記抽出タップ値を出力するタップ抽出ユニットと、
前記タップ抽出ユニットに結合された、前記抽出タップ値を遅延させる遅延ユニットと、
前記タップ抽出ユニットと前記遅延ユニットに結合された、前記抽出タップ値の共役を生成する共役生成器と、
前記遅延ユニットと前記共役生成器に結合された、前記抽出タップ値の前記共役を前記遅延抽出タップ値と掛け合わせて、前記共役抽出タップ値と前記遅延抽出タップ値の位相差を表す位相差信号を生成する第１の乗算器と、
前記第１の乗算器の出力に結合された、前記共役抽出タップ値と前記遅延抽出タップ値の前記位相差を測定する逆正接ユニットと、
前記測定された位相差を平均して、前記周波数誤差推定器から前記推定周波数誤差信号として前記平均された位相差を出力させるための第１のフィルタと
を含む周波数誤差推定器と
を備えることを特徴とするシステム。
【請求項２】
前記推定周波数誤差信号に基づいて回転位相ベクトルを生成する発信器をさらに備えることを特徴とする請求項１に記載のシステム。
【請求項３】
前記回転位相ベクトル信号を前記サンプルデータストリームと掛け合わせて、前記サンプルデータストリームの周波数を訂正する乗算器をさらに備えることを特徴とする請求項２に記載のシステム。
【請求項４】
前記周波数誤差推定器は、前記乗算器と前記第１のフィルタに結合された、閾値信号の値に基づいて前記第１のフィルタに、前記第１のフィルタを休止させる保留信号を選択的に送る比較回路をさらに備えることを特徴とする請求項３に記載のシステム。
【請求項５】
前記比較回路は、
前記第１の乗算器と前記逆正接ユニットに結合された、前記位相差信号の振幅を計算する振幅検出器と、
前記位相差信号の前記振幅を前記閾値信号の前記値と比較し、前記位相差信号の前記振幅が前記閾値信号の前記値を下回る場合には、前記保留信号を生成する比較器と
を備えることを特徴とする請求項４に記載のシステム。
【請求項６】
前記比較回路は、
前記位相差信号の前記振幅を平均する第２のフィルタと、
前記位相差信号の前記平均振幅と倍率を掛け合わせて前記閾値信号を生成する第２の乗算器と
をさらに備えることを特徴とする請求項５に記載のシステム。
【請求項７】
前記比較回路は、
前記位相差信号の瞬時電力を計算する電力検出器と、
前記位相差信号の前記瞬時電力を閾値信号の値と比較する比較器であり、前記位相差信号の前記瞬時電力が前記閾値信号の前記値を下回る場合には、前記保留信号を生成する前記比較器と
を備えることを特徴とする請求項４に記載のシステム。
【請求項８】
前記比較回路は、
前記位相差信号の前記瞬時電力を平均する第２のフィルタと、
前記位相差信号の前記平均瞬時電力と倍率を掛け合わせて前記閾値信号を生成する第２の乗算器と
をさらに備えることを特徴とする請求項７に記載のシステム。
【請求項９】
無線通信受信機におけるベースバンド周波数訂正（ＢＦＣ）システムであって、
サンプルデータストリームの等化を行い、前記等化に基づいてフィルタタップ値を生成する等化器と、
前記フィルタタップ値の少なくとも１つに基づいて推定周波数誤差信号を生成する周波数誤差推定器であって、
前記等化器によって生成される前記フィルタタップ値から複数のタップ値を抽出し、前記抽出タップ値を平均して前記抽出タップ値の平均値を生成するタップ抽出ユニットと、
前記タップ抽出ユニットに結合された、前記平均タップ値を遅延させる遅延ユニットと、
前記タップ抽出ユニットと前記遅延ユニットに結合された、前記平均タップ値の共役を生成する共役生成器と、
前記遅延ユニットと前記共役生成器に結合された、前記平均タップ値の前記共役を前記遅延平均タップ値と掛け合わせて、前記共役平均タップ値と前記遅延平均タップ値の位相差を表す位相差信号を生成する第１の乗算器と
を含む周波数誤差推定器と
を備えることを特徴とするシステム。
【請求項１０】
前記周波数誤差推定器は、
前記第１の乗算器の出力に結合された、前記共役平均タップ値と前記遅延平均タップ値の前記位相差を測定する逆正接ユニットと、
前記測定された位相差を平均して、前記周波数誤差推定器から前記推定周波数誤差信号として前記平均された位相差を出力させるための第１のフィルタと
をさらに備えることを特徴とする請求項９に記載のシステム。
【請求項１１】
前記周波数誤差推定器は、前記乗算器と前記第１のフィルタに結合された、閾値信号の値に基づいて前記第１のフィルタに、前記第１のフィルタを休止させる保留信号を選択的に送る比較回路をさらに備えることを特徴とする請求項１０に記載のシステム。
【請求項１２】
前記比較回路は、
前記第１の乗算器と前記逆正接ユニットに結合された、前記位相差信号の振幅を計算する振幅検出器と、
前記位相差信号の前記振幅を前記閾値信号の前記値と比較し、前記位相差信号の前記振幅が前記閾値信号の前記値を下回る場合には、前記保留信号を生成する比較器と
を備えることを特徴とする請求項１１に記載のシステム。
【請求項１３】
前記比較回路は、
前記位相差信号の前記振幅を平均する第２のフィルタと、
前記位相差信号の前記平均振幅と倍率を掛け合わせて前記閾値信号を生成する第２の乗算器と
をさらに備えることを特徴とする請求項１２に記載のシステム。
【請求項１４】
前記比較回路は、
前記位相差信号の瞬時電力を計算する電力検出器と、
前記位相差信号の前記瞬時電力を前記閾値信号の前記値と比較する比較器であり、前記位相差信号の前記瞬時電力が前記閾値信号の前記値を下回る場合には、前記保留信号を生成する前記比較器と
を備えることを特徴とする請求項１１に記載のシステム。
【請求項１５】
前記比較回路は、
前記位相差信号の前記瞬時電力を平均する第２のフィルタと、
前記位相差信号の前記平均瞬時電力と倍率を掛け合わせて前記閾値信号を生成する第２の乗算器と
をさらに備えることを特徴とする請求項１４に記載のシステム。
【請求項１６】
前記周波数誤差推定器と前記発振器の間に結合された、前記推定周波数誤差信号の利得を調整するコントローラをさらに備えることを特徴とする請求項２に記載のシステム。
【請求項１７】
前記発振器は、前記コントローラによって制御される数値制御発振器（ＮＣＯ）であることを特徴とする請求項１６に記載のシステム。
【請求項１８】
前記周波数誤差推定器と前記発振器の間に結合されたコントローラであり、前記周波数誤差推定器から受け取られた前記推定周波数誤差信号を比較−積分−微分（ＰＩＤ）アルゴリズムを用いて処理し、前記処理された推定周波数誤差信号を前記発振器に入力する前記コントローラをさらに備えることを特徴とする請求項２に記載のシステム。
【請求項１９】
前記発振器は、前記コントローラによって制御される数値制御発振器（ＮＣＯ）であることを特徴とする請求項１８に記載のシステム。
【請求項２０】
前記等化器は、正規化最小平均二乗（ＮＬＭＳ）アルゴリズムを利用することを特徴とする請求項１に記載のシステム。
【請求項２１】
無線通信受信機におけるベースバンド周波数訂正（ＢＦＣ）システムであって、
サンプルデータストリームのチャネル推定を行い、前記チャネル推定に基づいてレイク受信機フィンガ重みを生成するチャネル推定器と、
前記フィンガ重みの少なくとも１つに基づいて推定周波数誤差信号を生成する周波数誤差推定器であって、
前記チャネル推定器によって生成される前記レイク受信機フィンガ重みから適切なレイク受信機フィンガ重みを抽出するタップ抽出ユニットと、
前記タップ抽出ユニットに結合された、前記抽出フィンガ重みを遅延させる遅延ユニットと、
前記タップ抽出ユニットと前記遅延ユニットに結合された、前記抽出フィンガ重みの共役を生成する共役生成器と、
前記遅延ユニットと前記共役生成器に結合された、前記抽出フィンガ重みの前記共役を前記遅延抽出フィンガ重みと掛け合わせて、前記共役抽出フィンガ重みと前記遅延抽出フィンガ重みの位相差を表す位相差信号を生成する第１の乗算器と、
前記第１の乗算器の出力に結合された、前記共役抽出フィンガ重みと前記遅延抽出フィンガ重みの前記位相差を測定する逆正接ユニットと、
前記測定された位相差を平均して、前記周波数誤差推定器から前記推定周波数誤差信号として前記平均された位相差を出力させるための第１のフィルタと
を備えることを特徴とするシステム。
【請求項２２】
前記推定周波数誤差信号に基づいて回転位相ベクトル信号を生成する発振器と、
前記回転位相ベクトル信号を前記サンプルデータストリームと掛け合わせて、前記サンプルデータストリームの周波数を訂正する乗算器と
を備えることを特徴とする請求項２１に記載のシステム。
【請求項２３】
前記周波数誤差推定器は、
前記第１の乗算器の出力に結合された、前記共役抽出フィンガ重みと前記遅延抽出フィンガ重みの前記位相差を測定する逆正接ユニットと、
前記測定された位相差を平均して、前記周波数誤差推定器から前記推定周波数誤差信号として前記平均された位相差を出力させるための第１のフィルタと
をさらに備えることを特徴とする請求項２２に記載のシステム。
【請求項２４】
前記周波数誤差推定器は、前記乗算器と前記第１のフィルタに結合された、閾値信号の値に基づいて前記第１のフィルタに、前記第１のフィルタを休止させる保留信号を選択的に送る比較回路をさらに備えることを特徴とする請求項２３に記載のシステム。
【請求項２５】
前記比較回路は、
前記第１の乗算器と前記逆正接ユニットに結合された、前記位相差信号の振幅を計算する振幅検出器と、
前記位相差信号の前記振幅を前記閾値信号の前記値と比較し、前記位相差信号の前記振幅が前記閾値信号の前記値を下回る場合には、前記保留信号を生成する比較器と
を備えることを特徴とする請求項２４に記載のシステム。
【請求項２６】
前記比較回路は、
前記位相差信号の前記振幅を平均する第２のフィルタと、
前記位相差信号の前記平均振幅と倍率を掛け合わせて前記閾値信号を生成する第２の乗算器と
をさらに備えることを特徴とする請求項２５に記載のシステム。
【請求項２７】
前記比較回路は、
前記位相差信号の瞬時電力を計算する電力検出器と、
前記位相差信号の前記瞬時電力を前記閾値信号の前記値と比較する比較器であり、前記位相差信号の前記瞬時電力が前記閾値信号の前記値を下回る場合には、前記保留信号を生成する前記比較器と
を備えることを特徴とする請求項２４に記載のシステム。
【請求項２８】
前記比較回路は、
前記位相差信号の前記瞬時電力を平均する第２のフィルタと、
前記位相差信号の前記平均瞬時電力と倍率を掛け合わせて前記閾値信号を生成する第２の乗算器と
をさらに備えることを特徴とする請求項２７に記載のシステム。
【請求項２９】
無線通信受信機におけるベースバンド周波数訂正（ＢＦＣ）システムであって、
サンプルデータストリームのチャネル推定を行い、前記チャネル推定に基づいてレイク受信機フィンガ重みを生成するチャネル推定器と、
前記フィンガ重みの少なくとも１つに基づいて推定周波数誤差信号を生成する周波数誤差推定器であって、
前記チャネル推定器によって生成される前記レイク受信機フィンガ重みから複数のレイク受信機フィンガ重みを抽出し、前記抽出フィンガ重みを平均して前記抽出フィンガ重みの平均フィンガ重みを生成するタップ抽出ユニットと、
前記タップ抽出ユニットに結合された、前記平均フィンガ重みを遅延させる遅延ユニットと、
前記タップ抽出ユニットと前記遅延ユニットに結合された、前記平均フィンガ重みの共役を生成する共役生成器と、
前記遅延ユニットと前記共役生成器に結合された、前記平均フィンガ重みの前記共役を前記遅延平均フィンガ重みと掛け合わせて、前記共役平均フィンガ重みと前記遅延平均フィンガ重みの位相差を表す位相差信号を生成する第１の乗算器と
を含む周波数誤差推定器と
を備えることを特徴とするシステム。
【請求項３０】
前記周波数誤差推定器は、
前記第１の乗算器の出力に結合された、前記共役平均フィンガ重みと前記遅延平均フィンガ重みの位相差を測定する逆正接ユニットと、
前記測定された位相差を平均して、前記周波数誤差推定器から前記推定周波数誤差信号として前記平均された位相差を出力させるための第１のフィルタと
をさらに備えることを特徴とする請求項２９に記載のシステム。
【請求項３１】
前記周波数誤差推定器は、前記乗算器と前記第１のフィルタに結合された、閾値信号の値に基づいて前記第１のフィルタに、前記第１のフィルタを休止させる保留信号を選択的に送る比較回路をさらに備えることを特徴とする請求項３０に記載のシステム。
【請求項３２】
前記比較回路は、
前記第１の乗算器と前記逆正接ユニットに結合された、前記位相差信号の振幅を計算する振幅検出器と、
前記位相差信号の前記振幅を前記閾値信号の前記値と比較し、前記位相差信号の前記振幅が前記閾値信号の前記値を下回る場合には、前記保留信号を生成する比較器と
を備えることを特徴とする請求項３１に記載のシステム。
【請求項３３】
前記比較回路は、
前記位相差信号の前記振幅を平均する第２のフィルタと、
前記位相差信号の前記平均振幅と倍率を掛け合わせて前記閾値信号を生成する第２の乗算器と
さらに備えることを特徴とする請求項３２に記載のシステム。
【請求項３４】
前記比較回路は、
前記位相差信号の瞬時電力を計算する電力検出器と、
前記位相差信号の前記瞬時電力を前記閾値信号の前記値と比較する比較器であり、前記位相差信号の前記瞬時電力が前記閾値信号の前記値を下回る場合には、前記保留信号を生成する前記比較器と
を備えることを特徴とする請求項３１に記載のシステム。
【請求項３５】
前記比較回路は、
前記位相差信号の前記瞬時電力を平均する第２のフィルタと、
前記位相差信号の前記瞬時電力と倍率を掛け合わせて前記閾値信号を生成する第２の乗算器と
をさらに備えることを特徴とする請求項３４に記載のシステム。
【請求項３６】
前記周波数誤差推定器と前記発振器の間に結合された、前記推定周波数誤差信号の利得を調整するコントローラをさらに備えることを特徴とする請求項２２に記載のシステム。
【請求項３７】
前記発振器は、前記コントローラによって制御される数値制御発振器（ＮＣＯ）であることを特徴とする請求項３６に記載のシステム。
【請求項３８】
前記周波数誤差推定器と前記発振器の間に結合されたコントローラであり、前記周波数誤差推定器から受け取られた前記推定周波数誤差信号を比較−積分−微分（ＰＩＤ）アルゴリズムを用いて処理し、前記処理された推定周波数誤差信号を前記発振器に入力する前記コントローラをさらに備えることを特徴とする請求項２２に記載のシステム。
【請求項３９】
前記発振器は、前記コントローラによって制御される数値制御発振器（ＮＣＯ）であることを特徴とする請求項３８に記載のシステム。
【請求項４０】
前記チャネル推定器は、正規化最小平均二乗（ＮＬＭＳ）アルゴリズムを利用することを特徴とする請求項２１に記載のシステム。
【請求項４１】
無線通信受信機において、ベースバンド周波数訂正（ＢＦＣ）を行う方法であって、
（ａ）サンプルデータストリームの等化を行うこと、
（ｂ）前記等化に基づいてフィルタタップ値を生成すること、および
（ｃ）前記フィルタタップ値の少なくとも１つに基づいて推定周波数誤差信号を生成することであって、
（ｃ１）前記生成されたフィルタタップ値から適切なタップ値を抽出すること、
（ｃ２）前記抽出タップ値を遅延させること、
（ｃ３）前記抽出タップ値の共役を生成すること、
（ｃ４）前記抽出タップ値の前記共役を前記遅延抽出タップ値と掛け合わせて、前記共役抽出タップ値と前記遅延抽出タップ値の位相差を表す位相差信号を生成すること
（ｃ５）前記共役抽出タップ値と前記遅延抽出タップ値の前記位相差を測定すること、および
（ｃ６）前記測定された位相差を平均することによって前記推定周波数誤差信号を生成すること
を含む推定周波数誤差信号を生成すること
を含むことを特徴とする方法。
【請求項４２】
（ｄ）前記推定周波数誤差信号に基づいて回転位相ベクトル信号を生成することをさらに含むことを特徴とする請求項４１に記載の方法。
【請求項４３】
（ｅ）前記回転位相ベクトル信号を前記サンプルデータストリームと掛け合わせて、前記サンプルデータストリームの周波数を訂正することをさらに含むことを特徴とする請求項４２に記載の方法。
【請求項４４】
ステップ（ｃ）は、
（ｃ７）閾値信号の値に基づいて、前記推定周波数誤差信号が更新されるのを選択的に妨げること
をさらに含むことを特徴とする請求項４３に記載の方法。
【請求項４５】
ステップ（ｃ）は、
（ｃ８）前記位相差信号の振幅を計算すること、
（ｃ９）前記位相差信号の前記振幅を前記閾値信号の前記値と比較すること、および
（ｃ１０）前記位相差信号の前記振幅が前記閾値信号の前記値を下回る場合には、前記推定周波数誤差信号が更新されるのを妨げること
をさらに含むことを特徴とする請求項４４に記載の方法。
【請求項４６】
ステップ（ｃ）は、
（ｃ１１）前記位相差信号の前記振幅を平均すること、および
（ｃ１２）前記位相差信号の前記平均振幅と倍率を掛け合わせることによって、前記閾値信号を生成すること
をさらに含むことを特徴とする請求項４５に記載の方法。
【請求項４７】
ステップ（ｃ）は、
（ｃ８）前記位相差信号の瞬時電力を計算すること、
（ｃ９）前記位相差信号の前記瞬時電力を前記閾値信号の前記値と比較すること、および
（ｃ１０）前記位相差信号の前記瞬時電力が前記閾値信号の前記値を下回る場合には、前記推定周波数誤差信号が更新されるのを妨げること
をさらに含むことを特徴とする請求項４４に記載の方法。
【請求項４８】
ステップ（ｃ）は、
（ｃ１０）前記位相差信号の前記瞬時電力を平均すること、および
（ｃ１１）前記位相差信号の前記平均瞬時電力と倍率を掛け合わせることによって前記閾値信号を生成すること
をさらに含むことを特徴とする請求項４７に記載の方法。
【請求項４９】
無線通信受信機において、ベースバンド周波数訂正（ＢＦＣ）を行う方法であって、
（ａ）サンプルデータストリームの等化を行うこと、
（ｂ）前記等化に基づいてフィルタタップ値を生成すること、および
（ｃ）前記フィルタタップ値の少なくとも１つに基づいて推定周波数誤差信号を生成することであって、 
（ｃ１）前記生成されたフィルタタップ値から複数のタップ値を抽出すること、
（ｃ２）前記抽出タップ値を平均して前記抽出タップ値の平均値を生成すること、
（ｃ３）前記平均タップ値を遅延させること、
（ｃ４）前記平均タップ値の共役を生成すること、および
（ｃ５）前記平均タップ値の前記共役を前記遅延平均タップ値と掛け合わせて、前記共役平均タップ値と前記遅延平均タップ値の位相差を表す位相差信号を生成すること
を含む推定周波数誤差信号を生成すること
を含むことを特徴とする方法。
【請求項５０】
ステップ（ｃ）は、
（ｃ６）前記共役平均タップ値と前記遅延平均タップ値の前記位相差を測定すること、および
（ｃ７）前記測定された位相差を平均することによって前記推定周波数誤差信号を生成すること
をさらに含むことを特徴とする請求項４９に記載の方法。
【請求項５１】
ステップ（ｃ）は、
（ｃ８）閾値信号の値に基づいて、前記推定周波数誤差信号が更新されるのを選択的に妨げること
をさらに含むことを特徴とする請求項５０に記載の方法。
【請求項５２】
ステップ（ｃ）は、
（ｃ９）前記位相差信号の振幅を計算すること、
（ｃ１０）前記位相差信号の前記振幅を前記閾値信号の前記値と比較すること、および
（ｃ１１）前記位相差信号の前記振幅が前記閾値信号の前記値を下回る場合には、前記推定周波数誤差信号が更新されるのを妨げること
をさらに含むことを特徴とする請求項５１に記載の方法。
【請求項５３】
ステップ（ｃ）は、
（ｃ１２）前記位相差信号の前記振幅を平均すること、および
（ｃ１３）前記位相差信号の前記平均振幅と倍率を掛け合わせることによって前記閾値信号を生成すること
をさらに含むことを特徴とする請求項５２に記載の方法。
【請求項５４】
ステップ（ｃ）は、
（ｃ９）前記位相差信号の瞬時電力を計算すること、
（ｃ１０）前記位相差信号の前記瞬時電力を前記閾値信号の前記値と比較すること、および
（ｃ１１）前記位相差信号の前記瞬時電力が前記閾値信号の前記値を下回る場合には、前記推定周波数誤差信号が更新されるのを妨げること
をさらに含むことを特徴とする請求項５１に記載の方法。
【請求項５５】
ステップ（ｃ）は、
（ｃ１２）前記位相差信号の前記瞬時電力を平均すること、および
（ｃ１３）前記位相差信号の前記平均瞬時電力と倍率を掛け合わせることによって前記閾値信号を生成すること
をさらに含むことを特徴とする請求項５４に記載の方法。
【請求項５６】
（ｆ）前記推定周波数誤差信号の利得を調整すること
をさらに含むことを特徴とする請求項４３に記載の方法。
【請求項５７】
（ｆ）前記推定周波数誤差信号を比較−積分−微分（ＰＩＤ）アルゴリズムを用いて処理すること
をさらに含むことを特徴とする請求項４３に記載の方法。
【請求項５８】
正規化最小平均二乗（ＮＬＭＳ）アルゴリズムを利用してステップ（ａ）が行われることを特徴とする請求項４１に記載の方法。
【請求項５９】
無線通信受信機において、ベースバンド周波数訂正（ＢＦＣ）を行う方法であって、
（ａ）サンプルデータストリームのチャネル推定を行うこと、
（ｂ）前記チャネル推定に基づいてレイク受信機フィンガ重みを生成すること、
（ｃ）前記フィンガ重みの少なくとも１つに基づいて推定周波数誤差信号を生成することであって、
（ｃ１）前記生成されたレイク受信機フィンガ重みから適切なフィンガ重みを抽出すること、
（ｃ２）前記抽出フィンガ重みを遅延させること、
（ｃ３）前記抽出フィンガ重みの共役を生成すること、および
（ｃ４）前記抽出フィンガ重みの前記共役を前記遅延抽出フィンガ重みと掛け合わせて、前記共役抽出フィンガ重みと前記遅延抽出フィンガ重みの位相差を表す位相差信号を生成すること
を含む推定周波数誤差信号を生成すること
を含むことを特徴とする方法。
【請求項６０】
（ｄ）前記推定周波数誤差信号に基づいて回転位相ベクトル信号を生成すること、および
（ｅ）前記回転位相ベクトル信号を前記サンプルデータストリームと掛け合わせて、前記サンプルデータストリームの周波数を訂正すること  
をさらに含むことを特徴とする請求項５９に記載の方法。
【請求項６１】
ステップ（ｃ）は、
（ｃ５）前記共役抽出フィンガ重みと前記遅延抽出フィンガ重みの前記位相差を測定すること、および
（ｃ６）前記測定された位相差を平均することによって前記推定周波数誤差信号を生成すること
をさらに含むことを特徴とする請求項６０に記載の方法。
【請求項６２】
ステップ（ｃ）は、
（ｃ７）閾値信号の値に基づいて、前記推定周波数誤差信号が更新されるのを選択的に妨げること
をさらに含むことを特徴とする請求項６１に記載の方法。
【請求項６３】
ステップ（ｃ）は、
（ｃ８）前記位相差信号の振幅を計算すること、
（ｃ９）前記位相差信号の前記振幅を前記閾値信号の前記値と比較すること、および
（ｃ１０）前記位相差信号の前記振幅が前記閾値信号の前記値を下回る場合には、前記推定周波数誤差信号が更新されるのを妨げること
をさらに含むことを特徴とする請求項６２に記載の方法。
【請求項６４】
ステップ（ｃ）は、
（ｃ１１）前記位相差信号の前記振幅を平均すること、および
（ｃ１２）前記位相差信号の前記平均振幅と倍率を掛け合わせることによって、前記閾値信号を生成すること
をさらに含むことを特徴とする請求項６３に記載の方法。
【請求項６５】
ステップ（ｃ）は、
（ｃ８）前記位相差信号の瞬時電力を計算すること、
（ｃ９）前記位相差信号の前記瞬時電力を前記閾値信号の前記値と比較すること、および
（ｃ１０）前記位相差信号の前記瞬時電力が前記閾値信号の前記値を下回る場合には、前記推定周波数誤差信号が更新されるのを妨げること
をさらに含むことを特徴とする請求項６２に記載の方法。
【請求項６６】
ステップ（ｃ）は、
（ｃ１１）前記位相差信号の前記瞬時電力を平均すること、および
（ｃ１２）前記位相差信号の前記平均瞬時電力と倍率を掛け合わせることによって前記閾値信号を生成すること
をさらに含むことを特徴とする請求項６５に記載の方法。
【請求項６７】
無線通信受信機において、ベースバンド周波数訂正（ＢＦＣ）を行う方法であって、
（ａ）サンプルデータストリームのチャネル推定を行うこと、
（ｂ）前記チャネル推定に基づいてレイク受信機フィンガ重みを生成すること、
（ｃ）前記フィンガ重みの少なくとも１つに基づいて推定周波数誤差信号を生成することであって、
（ｃ１）前記生成されたレイク受信機フィンガ重みから複数のフィンガ重みを抽出すること、
（ｃ２）前記抽出フィンガ重みを平均して前記抽出フィンガ重みの平均値を生成すること、
（ｃ３）前記平均フィンガ重みを遅延させること、
（ｃ４）前記平均フィンガ重みの共役を生成すること、および
（ｃ５）前記平均フィンガ重みの前記共役を前記遅延平均フィンガ重みと掛け合わせて、前記共役平均フィンガ重みと前記遅延平均フィンガ重みの位相差を表す位相差信号を生成すること
を含む推定周波数誤差信号を生成すること
を含むことを特徴とする方法。
【請求項６８】
ステップ（ｃ）は、
（ｃ６）前記共役平均フィンガ重みと前記遅延平均フィンガ重みの前記位相差を測定すること、および
（ｃ７）前記測定された位相差を平均することによって前記推定周波数誤差信号を生成すること
をさらに含むことを特徴とする請求項６７に記載の方法。
【請求項６９】
ステップ（ｃ）は、
（ｃ８）閾値信号の値に基づいて、前記推定周波数誤差信号が更新されるのを選択的に妨げること
をさらに含むことを特徴とする請求項６８に記載の方法。
【請求項７０】
ステップ（ｃ）は、
（ｃ９）前記位相差信号の振幅を計算すること、
（ｃ１０）前記位相差信号の前記振幅を前記閾値信号の前記値と比較すること、および
（ｃ１１）前記位相差信号の前記振幅が前記閾値信号の前記値を下回る場合には、前記推定周波数誤差信号が更新されるのを妨げること
をさらに含むことを特徴とする請求項６９に記載の方法。
【請求項７１】
ステップ（ｃ）は、
（ｃ１２）前記位相差信号の前記振幅を平均すること、および
（ｃ１３）前記位相差信号の前記平均振幅と倍率を掛け合わせることによって前記閾値信号を生成すること
をさらに含むことを特徴とする請求項７０に記載の方法。
【請求項７２】
ステップ（ｃ）は、
（ｃ９）前記位相差信号の瞬時電力を計算すること、
（ｃ１０）前記位相差信号の前記瞬時電力を前記閾値信号の前記値と比較すること、および
（ｃ１１）前記位相差信号の前記瞬時電力が前記閾値信号の前記値を下回る場合には、前記推定周波数誤差信号が更新されるのを妨げること
をさらに含むことを特徴とする請求項６９に記載の方法。
【請求項７３】
ステップ（ｃ）は、
（ｃ１２）前記位相差信号の前記瞬時電力を平均すること、および
（ｃ１３）前記位相差信号の前記平均瞬時電力と倍率を掛け合わせることによって前記閾値信号を生成すること
をさらに含むことを特徴とする請求項７２に記載の方法。
【請求項７４】
（ｆ）前記推定周波数誤差信号の利得を調整すること
をさらに含むことを特徴とする請求項６０に記載の方法。
【請求項７５】
（ｆ）前記推定周波数誤差信号を比較−積分−微分（ＰＩＤ）アルゴリズムを用いて処理すること
をさらに含むことを特徴とする請求項６０に記載の方法。
【請求項７６】
正規化最小平均二乗（ＮＬＭＳ）アルゴリズムを利用してステップ（ａ）が行われることを特徴とする請求項５９に記載の方法。
【請求項７７】
集積回路（ＩＣ）であって、
サンプルデータストリームの等化を行い、前記等化に基づいてフィルタタップ値を生成する等化器と、
前記フィルタタップ値の少なくとも１つに基づいて推定周波数誤差信号を生成する周波数誤差推定器であって、
前記等化器によって生成される前記フィルタタップ値から適切なタップ値を抽出し、前記抽出タップ値を出力するタップ抽出ユニットと、
前記タップ抽出ユニットに結合された、前記抽出タップ値を遅延させる遅延ユニットと、
前記タップ抽出ユニットと前記遅延ユニットに結合された、前記抽出タップ値の共役を生成する共役生成器と、
前記遅延ユニットと前記共役生成器に結合された、前記抽出タップ値の前記共役を前記遅延抽出タップ値と掛け合わせて、前記共役抽出タップ値と前記遅延抽出タップ値の位相差を表す位相差信号を生成する第１の乗算器と
前記第１の乗算器の出力に結合された、前記共役抽出タップ値と前記遅延抽出タップ値の前記位相差を測定する逆正接ユニットと、
前記測定された位相差を平均して、前記周波数誤差推定器から前記推定周波数誤差信号として前記平均された位相差を出力させるための第１のフィルタと
を含む周波数誤差推定器と
を備えることを特徴とするＩＣ。
【請求項７８】
前記推定周波数誤差信号に基づいて回転位相ベクトル信号を生成する発振器を備えることを特徴とする請求項７７に記載のＩＣ。
【請求項７９】
前記回転位相ベクトル信号を前記サンプルデータストリームと掛け合わせて、前記サンプルデータストリームの周波数を訂正する乗算器をさらに備えることを特徴とする請求項７８に記載のＩＣ。
【請求項８０】
前記周波数誤差推定器は、前記乗算器と前記第１のフィルタに結合された、閾値信号の値に基づいて前記第１のフィルタに、前記第１のフィルタを休止させる保留信号を選択的に送る比較回路をさらに備えることを特徴とする請求項７９に記載のＩＣ。
【請求項８１】
前記比較回路は、
前記第１の乗算器と前記逆正接ユニットに結合された、前記位相差信号の振幅を計算する振幅検出器と、
前記位相差信号の前記振幅を前記閾値信号の前記値と比較し、前記位相差信号の前記振幅が前記閾値信号の前記値を下回る場合には、前記保留信号を生成する比較器と
を備えることを特徴とする請求項８０に記載のＩＣ。
【請求項８２】
前記比較回路は、
前記位相差信号の前記振幅を平均する第２のフィルタと、
前記位相差信号の前記平均振幅と倍率を掛け合わせて前記閾値信号を生成する第２の乗算器と
をさらに備えることを特徴とする請求項８１に記載のＩＣ。
【請求項８３】
前記比較回路は、
前記位相差信号の瞬時電力を計算する電力検出器と、
前記位相差信号の前記瞬時電力を閾値信号の値と比較する比較器であり、前記位相差信号の前記瞬時電力が前記閾値信号の前記値を下回る場合には、前記保留信号を生成する前記比較器と
を備えることを特徴とする請求項８０に記載のＩＣ。
【請求項８４】
前記比較回路は、
前記位相差信号の前記瞬時電力を平均する第２のフィルタと、
前記位相差信号の前記平均瞬時電力と倍率を掛け合わせて前記閾値信号を生成する第２の乗算器と
をさらに備えることを特徴とする請求項８３に記載のＩＣ。
【請求項８５】
集積回路（ＩＣ）であって、
サンプルデータストリームの等化を行い、前記等化に基づいてフィルタタップ値を生成する等化器と、
前記フィルタタップ値の少なくとも１つに基づいて推定周波数誤差信号を生成する周波数誤差推定器であって、
前記等化器によって生成される前記フィルタタップ値から複数のタップ値を抽出し、前記抽出タップ値を平均して、前記抽出タップ値の平均値を生成するタップ抽出ユニットと、
前記タップ抽出ユニットに結合された、前記平均タップ値を遅延させる遅延ユニットと、
前記タップ抽出ユニットと前記遅延ユニットに結合された、前記平均タップ値の共役を生成する共役生成器と、
前記遅延ユニットと前記共役生成器に結合された、前記平均タップ値の前記共役を前記遅延平均タップ値と掛け合わせて、前記共役平均タップ値と前記遅延平均タップ値の位相差を表す位相差信号を生成する第１の乗算器と
を含む推定誤差推定器と
を備えることを特徴とするＩＣ。
【請求項８６】
前記周波数誤差推定器は、
前記第１の乗算器の出力に結合された、前記共役平均タップ値と前記遅延平均タップ値の前記位相差を測定する逆正接ユニットと、
前記測定された位相差を平均して、前記周波数誤差推定器から前記推定周波数誤差信号として前記平均された位相差を出力させるための第１のフィルタと
をさらに備えることを特徴とする請求項８５に記載のＩＣ。
【請求項８７】
前記周波数誤差推定器は、前記乗算器と前記第１のフィルタに結合された、閾値信号の値に基づいて前記第１のフィルタに、前記第１のフィルタを休止させる保留信号を選択的に送る比較回路をさらに備えることを特徴とする請求項８６に記載のＩＣ。
【請求項８８】
前記比較回路は、
前記第１の乗算器と前記逆正接ユニットに結合された、前記位相差信号の振幅を計算する振幅検出器と、
前記位相差信号の前記振幅を前記閾値信号の前記値と比較し、前記位相差信号の前記振幅が前記閾値信号の前記値を下回る場合には、前記保留信号を生成する比較器と
を備えることを特徴とする請求項８７に記載のＩＣ。
【請求項８９】
前記比較回路は、
前記位相差信号の前記振幅を平均する第２のフィルタと、
前記位相差信号の前記平均振幅と倍率を掛け合わせて前記閾値信号を生成する第２の乗算器と
をさらに備えることを特徴とする請求項８８に記載のＩＣ。
【請求項９０】
前記比較回路は、
前記位相差信号の瞬時電力を計算する電力検出器と、
前記位相差信号の前記瞬時電力を前記閾値信号の前記値と比較する比較器であり、前記位相差信号の前記瞬時電力が前記閾値信号の前記値を下回る場合には、前記保留信号を生成する前記比較器と
を備えることを特徴とする請求項８７に記載のＩＣ。
【請求項９１】
前記比較回路は、
前記位相差信号の前記瞬時電力を平均する第２のフィルタと、
前記位相差信号の前記平均瞬時電力と倍率を掛け合わせて前記閾値信号を生成する第２の乗算器と
をさらに備えることを特徴とする請求項９０に記載のＩＣ。
【請求項９２】
前記周波数誤差推定器と前記発振器の間に結合された、前記推定周波数誤差信号の利得を調整するコントローラをさらに備えることを特徴とする請求項７８に記載のＩＣ。
【請求項９３】
前記発振器は、前記コントローラによって制御される数値制御発振器（ＮＣＯ）であることを特徴とする請求項９２に記載のＩＣ。
【請求項９４】
前記周波数誤差推定器と前記発振器の間に結合されたコントローラであり、前記周波数誤差推定器から受け取られた前記推定周波数誤差信号を比較−積分−微分（ＰＩＤ）アルゴリズムを用いて処理し、前記処理された推定周波数誤差信号を前記発振器に入力する前記コントローラをさらに備えることを特徴とする請求項７８に記載のＩＣ。
【請求項９５】
前記発振器は、前記コントローラによって制御される数値制御発振器（ＮＣＯ）であることを特徴とする請求項９４に記載のＩＣ。
【請求項９６】
前記等化器は、正規化最小平均二乗（ＮＬＭＳ）アルゴリズムを利用することを特徴とする請求項７７に記載のＩＣ。
【請求項９７】
無線送信／受信ユニット（ＷＴＲＵ）に組み込まれていることを特徴とする請求項７７に記載のＩＣ。
【請求項９８】
基地局に組み込まれていることを特徴とする請求項７７に記載のＩＣ。
【請求項９９】
集積回路（ＩＣ）であって、
サンプルデータストリームのチャネル推定を行い、前記チャネル推定に基づいてレイク受信機フィンガ重みを生成するチャネル推定器と、
前記フィンガ重みの少なくとも１つに基づいて推定周波数誤差信号を生成する周波数誤差推定器であって、
前記チャネル推定器によって生成される前記レイク受信機フィンガ重みから適切なレイク受信機フィンガ重みを抽出するタップ抽出ユニットと、
前記タップ抽出ユニットに結合された、前記抽出フィンガ重みを遅延させる遅延ユニットと、
前記タップ抽出ユニットと前記遅延ユニットに結合された、前記抽出フィンガ重みの共役を生成する共役生成器と、
前記遅延ユニットと前記共役生成器に結合された、前記抽出フィンガ重みの前記共役を前記遅延抽出フィンガ重みと掛け合わせて、前記共役抽出フィンガ重みと前記遅延抽出フィンガ重みの位相差を表す位相差信号を生成する第１の乗算器と
を含む推定誤差推定器と
を備えることを特徴とするＩＣ。
【請求項１００】
前記推定周波数誤差信号に基づいて回転位相ベクトル信号を生成する発振器と、
前記回転位相ベクトル信号を前記サンプルデータストリームと掛け合わせて、前記サンプルデータストリームの周波数を訂正する乗算器と  
を備えることを特徴とする請求項９９に記載のＩＣ。
【請求項１０１】
前記周波数誤差推定器は、
前記第１の乗算器の出力に結合された、前記共役抽出フィンガ重みと前記遅延抽出フィンガ重みの前記位相差を測定する逆正接ユニットと、
前記測定された位相差を平均して、前記周波数誤差推定器から前記推定周波数誤差信号として前記平均された位相差を出力させるための第１のフィルタと
をさらに備えることを特徴とする請求項１００に記載のＩＣ。
【請求項１０２】
前記周波数誤差推定器は、前記乗算器と前記第１のフィルタに結合された、閾値信号の値に基づいて前記第１のフィルタに、前記第１のフィルタを休止させる保留信号を選択的に送る比較回路をさらに備えることを特徴とする請求項１０１に記載のＩＣ。
【請求項１０３】
前記比較回路は、
前記第１の乗算器と前記逆正接ユニットに結合された、前記位相差信号の振幅を計算する振幅検出器と、
前記位相差信号の前記振幅を前記閾値信号の前記値と比較し、前記位相差信号の前記振幅が前記閾値信号の前記値を下回る場合には、前記保留信号を生成する比較器と
を備えることを特徴とする請求項１０２に記載のＩＣ。
【請求項１０４】
前記比較回路は、
前記位相差信号の前記振幅を平均する第２のフィルタと、
前記位相差信号の前記平均振幅と倍率を掛け合わせて前記閾値信号を生成する第２の乗算器と
をさらに備えることを特徴とする請求項１０３に記載のＩＣ。
【請求項１０５】
前記比較回路は、
前記位相差信号の瞬時電力を計算する電力検出器と、
前記位相差信号の前記瞬時電力を前記閾値信号の前記値と比較する比較器であり、前記位相差信号の前記瞬時電力が前記閾値信号の前記値を下回る場合には、前記保留信号を生成する前記比較器と
を備えることを特徴とする請求項１０２に記載のＩＣ。
【請求項１０６】
前記比較回路は、
前記位相差信号の前記瞬時電力を平均する第２のフィルタと、
前記位相差信号の前記平均瞬時電力と倍率を掛け合わせて前記閾値信号を生成する第２の乗算器と
をさらに備えることを特徴とする請求項１０５に記載のＩＣ。
【請求項１０７】
集積回路（ＩＣ）であって、
サンプルデータストリームのチャネル推定を行い、前記チャネル推定に基づいてレイク受信機フィンガ重みを生成するチャネル推定器と、
前記フィンガ重みの少なくとも１つに基づいて推定周波数誤差信号を生成する周波数誤差推定器であって、
前記チャネル推定器によって生成される前記レイク受信機フィンガ重みから複数のレイク受信機フィンガ重みを抽出し、前記抽出フィンガ重みを平均して前記抽出フィンガ重みの平均フィンガ重みを生成するタップ抽出ユニットと、
前記タップ抽出ユニットに結合された、前記平均フィンガ重みを遅延させる遅延ユニットと、
前記タップ抽出ユニットと前記遅延ユニットに結合された、前記平均フィンガ重みの共役を生成する共役生成器と、
前記遅延ユニットと前記共役生成器に結合された、前記平均フィンガ重みの前記共役を前記遅延平均フィンガ重みと掛け合わせて、前記共役平均フィンガ重みと前記遅延平均フィンガ重みの位相差を表す位相差信号を生成する第１の乗算器と
を含む推定誤差推定器と
を備えることを特徴とするＩＣ。
【請求項１０８】
前記周波数誤差推定器は、
前記第１の乗算器の出力に結合された、前記共役平均フィンガ重みと前記遅延平均フィンガ重みの前記位相差を測定する逆正接ユニットと、
前記測定された位相差を平均して、前記周波数誤差推定器から前記推定周波数誤差信号として前記平均された位相差を出力させるための第１のフィルタと
をさらに備えることを特徴とする請求項１０７に記載のＩＣ。
【請求項１０９】
前記周波数誤差推定器は、前記乗算器と前記第１のフィルタに結合された、閾値信号の値に基づいて前記第１のフィルタに、前記第１のフィルタを休止させる保留信号を選択的に送る比較回路をさらに備えることを特徴とする請求項１０８に記載のＩＣ。
【請求項１１０】
前記比較回路は、
前記第１の乗算器と前記逆正接ユニットに結合された、前記位相差信号の振幅を計算する振幅検出器と、
前記位相差信号の前記振幅を前記閾値信号の前記値と比較し、前記位相差信号の前記振幅が前記閾値信号の前記値を下回る場合には、前記保留信号を生成する比較器と
を備えることを特徴とする請求項１０９に記載のＩＣ。
【請求項１１１】
前記比較回路は、
前記位相差信号の前記振幅を平均する第２のフィルタと、
前記位相差信号の前記平均振幅と倍率を掛け合わせて前記閾値信号を生成する第２の乗算器と
さらに備えることを特徴とする請求項１１０に記載のＩＣ。
【請求項１１２】
前記比較回路は、
前記位相差信号の瞬時電力を計算する電力検出器と、
前記位相差信号の前記瞬時電力を前記閾値信号の前記値と比較する比較器であり、前記位相差信号の前記瞬時電力が前記閾値信号の前記値を下回る場合には、前記保留信号を生成する前記比較器と
を備えることを特徴とする請求項１０９に記載のＩＣ。
【請求項１１３】
前記比較回路は、
前記位相差信号の前記瞬時電力を平均する第２のフィルタと、
前記位相差信号の前記瞬時電力と倍率を掛け合わせて前記閾値信号を生成する第２の乗算器と
をさらに備えることを特徴とする請求項１１２に記載のＩＣ。
【請求項１１４】
前記周波数誤差推定器と前記発振器の間に結合された、前記推定周波数誤差信号の利得を調整するコントローラをさらに備えることを特徴とする請求項１００に記載のＩＣ。
【請求項１１５】
前記発振器は、前記コントローラによって制御される数値制御発振器（ＮＣＯ）であることを特徴とする請求項１１４に記載のＩＣ。
【請求項１１６】
前記周波数誤差推定器と前記発振器の間に結合されたコントローラであり、前記周波数誤差推定器から受け取られた前記推定周波数誤差信号を比較−積分−微分（ＰＩＤ）アルゴリズムを用いて処理し、前記処理された推定周波数誤差信号を前記発振器に入力する前記コントローラをさらに備えることを特徴とする請求項１００に記載のＩＣ。
【請求項１１７】
前記発振器は、前記コントローラによって制御される数値制御発振器（ＮＣＯ）であることを特徴とする請求項１１６に記載のＩＣ。
【請求項１１８】
前記チャネル推定器は、正規化最小平均二乗（ＮＬＭＳ）アルゴリズムを利用することを特徴とする請求項９９に記載のＩＣ。
【請求項１１９】
無線送信／受信ユニット（ＷＴＲＵ）に組み込まれていることを特徴とする請求項９９に記載のＩＣ。
【請求項１２０】
基地局に組み込まれていることを特徴とする請求項９９に記載のＩＣ。
【国際調査報告】
2008519554.tif 000013
2008519554.tif 000014